(57)【特許請求の範囲】
【請求項１】
下に重ねられた用紙に記載された内容が透けて視認されるように構成され、それぞれで異なるコード化パターンが形成された複数のシートと、
コード化パターンが形成されると共に、前記複数のシートに対するページ番号の設定を開始するための開始エリアと、前記複数のシートに対する前記ページ番号の設定を終了するための終了エリアとが設けられたページ設定シートと、を備えることを特徴とするシートセット。
【請求項２】
下に重ねられた用紙に記載された内容が透けて視認されるように構成され、それぞれで異なるコード化パターンが形成された複数のシートと、
前記複数のシートに対するページ番号の設定の開始と終了とを切り替えるために使用され、コード化パターンが形成されたページ設定シートと、を備えることを特徴とするシートセット。
【請求項３】
下に重ねられた用紙に記載された内容が透けて視認されるように構成され、それぞれで異なるコード化パターンが形成された複数のシートと、
前記複数のシートに設定されたページ番号をリセットするために使用され、コード化パターンが形成されたリセットシートと、を備えることを特徴とするシートセット。
【請求項４】
下に重ねられた用紙に記載された内容が透けて視認されるように構成され、それぞれで異なるコード化パターンが形成された複数のシートを有するシートセットであって、
前記複数のシートは、それぞれ、複数のページ番号が印刷され、前記複数のページ番号の中から設定するページ番号を選択するための複数のページ選択エリアが設けられていることを特徴とするシートセット。
【請求項５】
前記複数のシートは、綴じるために用いられる穴が形成されており、前記用紙と重ねた状態で、前記穴を用いて綴じられることを特徴とする請求項１乃至４のいずれか一項に記載のシートセット。
【請求項６】
前記複数のシートは、前記用紙を差し入れて保持可能に構成されていることを特徴とする請求項１乃至５のいずれか一項に記載のシートセット。
【請求項７】
前記複数のシートは、トレーシングペーパーまたはクリアファイルで構成されていることを特徴とする請求項１乃至６のいずれか一項に記載のシートセット。
【請求項８】
前記複数のシートには、方眼メッシュが形成されていることを特徴とする請求項７に記載のシートセット。
【請求項９】
前記複数のシートは、表面が透明ニスでコーティングされていることを特徴とする請求項１乃至８のいずれか一項に記載のシートセット。
【請求項１０】
下に重ねられた用紙に記載された内容が透けて視認されるように構成され、それぞれで異なるコード化パターンが形成された複数のシートを有するシートセットと、
前記シートセットが有する前記シートに形成された前記コード化パターンを読み取り、当該コード化パターンに関する記入情報を生成する電子ペンと、
前記電子ペンから前記記入情報を受信して、当該記入情報に応じた処理を行うコンピュータ装置と、を備える情報処理システムであって、
前記複数のシートは、それぞれ、ページ番号を設定するためのページ設定エリアが設けられており、
前記コンピュータ装置は、
前記電子ペンから前記記入情報を受信する受信手段と、
前記受信手段が受信した前記記入情報に基づいて、前記複数のシートに対してページ番号を設定する処理を行うページ番号設定処理手段と、
前記複数のシートのそれぞれに形成された前記コード化パターンと、その各シートに設けられた前記ページ設定エリアにそれぞれ形成された前記コード化パターンとについて、座標定義情報を記憶する記憶手段と、
前記記憶手段が記憶する前記座標定義情報に基づいて、前記電子ペンによって記入されたシートを特定し、前記電子ペンによって前記ページ設定エリアに記入されたか否かを判定する判定手段と、を備え、
前記ページ番号設定処理手段は、前記電子ペンによる前記ページ設定エリアへの記入に基づいて、前記複数のシートに対してページ番号を設定し、前記判定手段が前記電子ペンによって前記ページ設定エリアに記入されたと判定した場合に、特定した前記シートに対してページ番号を設定することを特徴とする情報処理システム。
【請求項１１】
前記シートセットは、コード化パターンが形成されると共に、前記複数のシートに対するページ番号の設定を開始するための開始エリアと、前記複数のシートに対するページ番号の設定を終了するための終了エリアとが設けられたページ設定シートを更に備え、
前記ページ番号設定処理手段は、前記電子ペンによって前記開始エリアに記入された場合に、前記複数のシートに対するページ番号の設定を開始し、前記電子ペンによって前記終了エリアに記入された場合に、前記複数のシートに対するページ番号の設定を終了することを特徴とする請求項１０に記載の情報処理システム。
【請求項１２】
前記コンピュータ装置は、
前記複数のシートのそれぞれに形成された前記コード化パターンと、前記開始エリアに形成された前記コード化パターンと、前記終了エリアに形成された前記コード化パターンとについて、座標定義情報を記憶する記憶手段と、
前記記憶手段が記憶する前記座標定義情報に基づいて、前記シートセットにおいて前記電子ペンによって記入されたシートを特定する特定手段と、
前記電子ペンによって記入されたシートが前記ページ設定シートであると前記特定手段が特定した場合に、前記記憶手段が記憶する前記座標定義情報に基づいて、前記電子ペンによって前記開始エリア及び前記終了エリアのいずれのエリアに記入されたかを判定する判定手段と、を更に備え、
前記ページ番号設定処理手段は、
前記電子ペンによって前記開始エリアに記入されたと前記判定手段が判定した後に、前記特定手段が特定した前記シートに対してページ番号を設定し、
前記電子ペンによって前記終了エリアに記入されたと前記判定手段が判定した場合に、前記シートに対するページ番号の設定を終了することを特徴とする請求項１１に記載の情報処理システム。
【請求項１３】
前記シートセットは、前記複数のシートに対するページ番号の設定の開始と終了とを切り替えるために使用され、コード化パターンが形成されたページ設定シートを更に備え、
前記ページ番号設定処理手段は、
前記電子ペンによって前記ページ設定シートに記入されることで、ページ番号の設定が終了から開始に切り替えられた場合に、前記複数のシートに対するページ番号の設定を開始し、
前記電子ペンによって前記ページ設定シートに記入されることで、ページ番号の設定が開始から終了に切り替えられた場合に、前記複数のシートに対するページ番号の設定を終了することを特徴とする請求項１０に記載の情報処理システム。
【請求項１４】
前記コンピュータ装置は、
前記複数のシートのそれぞれに形成された前記コード化パターンと、前記ページ設定シートに形成された前記コード化パターンとについて、座標定義情報を記憶する記憶手段と、
前記記憶手段が記憶する前記座標定義情報に基づいて、前記シートセットにおいて前記電子ペンによって記入されたシートを特定する特定手段と、
前記電子ペンによって記入されたシートが前記ページ設定シートであると前記特定手段が特定した場合において、ページ番号の設定を開始している場合にはページ番号の設定を終了に切り替え、ページ番号の設定を終了している場合にはページ番号の設定を開始に切り替える切り替え手段と、を更に備え、
前記ページ番号設定処理手段は、
前記切り替え手段がページ番号の設定を終了から開始に切り替えた後に、前記特定手段が特定した前記シートに対してページ番号を設定し、
前記切り替え手段がページ番号の設定を開始から終了に切り替えた場合に、前記シートに対するページ番号の設定を終了することを特徴とする請求項１３に記載の情報処理システム。
【請求項１５】
前記ページ番号設定処理手段がページ番号の設定を開始した場合に、ページ番号の設定中であることを示す画像を表示させると共に、前記ページ番号設定処理手段がページ番号の設定を終了した場合に、ページ番号の設定中であることを示す画像を非表示にさせるか、又はページ番号の設定中でないことを示す画像を表示させる手段を更に備えることを特徴とする請求項１１乃至１４のいずれか一項に記載の情報処理システム。
【請求項１６】
前記ページ番号設定処理手段は、前記電子ペンによって記入された前記シートについてページ番号が設定されていない場合に、前記シートに対してページ番号を設定する処理を行うことを特徴とする請求項１０に記載の情報処理システム。
【請求項１７】
前記シートセットは、前記複数のシートに設定されたページ番号をリセットするために使用され、コード化パターンが形成されたリセットシートを更に備え、
前記ページ番号設定処理手段は、前記電子ペンによって前記リセットシートに記入された場合に、前記複数のシートに設定されたページ番号をリセットすることを特徴とする請求項１６に記載の情報処理システム。
【請求項１８】
前記コンピュータ装置は、
前記複数のシートのそれぞれに形成された前記コード化パターンと、前記リセットシートに形成された前記コード化パターンとについて、座標定義情報を記憶する記憶手段と、
前記記憶手段が記憶する前記座標定義情報に基づいて、前記シートセットにおいて前記電子ペンによって記入されたシートを特定する特定手段と、を更に備え、
前記ページ番号設定処理手段は、前記電子ペンによって記入されたシートが前記リセットシートであると前記特定手段が特定した場合に、前記複数のシートに設定されたページ番号をリセットすることを特徴とする請求項１７に記載の情報処理システム。
【請求項１９】
前記ページ番号設定処理手段は、前記電子ペンによる前記シートへの記入に基づいて、前記シートに設定するページ番号をインクリメントし、インクリメントした当該ページ番号を、前記シートに対して設定することを特徴とする請求項１０乃至１８のいずれか一項に記載の情報処理システム。
【請求項２０】
前記ページ番号設定処理手段は、既にページ番号を設定した前記シートに対して前記電子ペンによって記入された場合には、前記シートに設定するページ番号をインクリメントしないと共に、前記シートに対して新たなページ番号を設定しないことを特徴とする請求項１９に記載の情報処理システム。
【請求項２１】
前記複数のシートは、それぞれ、複数のページ番号が印刷され、前記複数のページ番号の中から設定するページ番号を選択するための複数のページ選択エリアが設けられており、
前記ページ番号設定処理手段は、前記電子ペンによる前記ページ選択エリアへの記入に基づいて、該当する前記シートに対してページ番号を設定することを特徴とする請求項１０に記載の情報処理システム。
【請求項２２】
前記コンピュータ装置は、
前記複数のシートのそれぞれに形成された前記コード化パターンと、前記複数のシートのそれぞれに設けられた前記複数のページ選択エリアの各々に形成された前記コード化パターンとについて、座標定義情報を記憶する記憶手段と、
前記記憶手段が記憶する前記座標定義情報に基づいて、前記電子ペンによって記入されたシートを特定するとともに、前記電子ペンによってページ選択エリアに記入されたと判定した場合に、当該ページ選択エリアを特定する判定手段と、を更に備え、
前記ページ番号設定処理手段は、前記判定手段が前記電子ペンによって前記ページ選択エリアに記入されたと判定したシートに対してページ番号を設定することを特徴とする請求項２１に記載の情報処理システム。
【請求項２３】
前記ページ番号設定処理手段は、
前記電子ペンによって記入された前記ページ選択エリアに対応するページ番号が、既に設定が行われたページ番号に一致しない場合に、前記ページ選択エリアに対応するページ番号を前記シートに対して設定し、
前記電子ペンによって記入された前記ページ選択エリアに対応するページ番号が、既に設定が行われたページ番号に一致する場合、前記ページ選択エリアに対応するページ番号を前記シートに対して設定しないことを特徴とする請求項２１又は２２に記載の情報処理システム。
【請求項２４】
前記ページ番号設定処理手段は、
前記電子ペンによる前記ページ選択エリアへの記入に基づいて、前記シートに設定するページ番号をインクリメントし、
前記電子ペンによって記入された前記ページ選択エリアに対応するページ番号が、インクリメントした当該ページ番号に一致する場合に、前記ページ選択エリアに対応するページ番号を前記シートに対して設定し、
前記電子ペンによって記入された前記ページ選択エリアに対応するページ番号が、インクリメントした当該ページ番号に一致しない場合、前記ページ選択エリアに対応するページ番号を前記シートに対して設定しないことを特徴とする請求項２１又は２２に記載の情報処理システム。
【請求項２５】
前記ページ番号設定処理手段は、所定のアプリケーションの起動時及び終了時のうちの少なくともいずれかの時点で、前記複数のシートに設定されたページ番号をリセットすることを特徴とする請求項１０乃至２４のいずれか一項に記載の情報処理システム。
【請求項２６】
前記コンピュータ装置は、
前記電子ペンによって記入された前記シートについてページ番号が設定されていない場合に、ページ番号が設定されていない旨を報知する手段を更に備えることを特徴とする請求項１０乃至２５のいずれか一項に記載の情報処理システム。
【請求項２７】
前記コンピュータ装置は、
ページ番号が既に設定されている前記シートに対して前記電子ペンによって記入された場合に、前記記入情報に対応する手書きストロークを所定のアプリケーション上に表示させる手段を更に備えることを特徴とする請求項１０乃至２６のいずれか一項に記載の情報処理システム。
【請求項２８】
下に重ねられた用紙に記載された内容が透けて視認されるように構成され、それぞれで異なるコード化パターンが形成された複数のシートを有するシートセットと、前記シートセットが有する前記シートに形成された前記コード化パターンを読み取り、当該コード化パターンに関する記入情報を生成する電子ペンと、前記電子ペンから前記記入情報を受信して、当該記入情報に応じた処理を行うコンピュータ装置と、を備える情報処理システムにおいて、前記コンピュータ装置により実行されるプログラムであって、
前記複数のシートは、それぞれ、ページ番号を設定するためのページ設定エリアが設けられており、
前記コンピュータ装置を、
前記電子ペンから前記記入情報を受信する受信手段、
前記受信手段が受信した前記記入情報に基づいて、前記複数のシートに対してページ番号を設定する処理を行うページ番号設定処理手段、
前記複数のシートのそれぞれに形成された前記コード化パターンと、その各シートに設けられた前記ページ設定エリアにそれぞれ形成された前記コード化パターンとについて、座標定義情報を記憶する記憶手段、
前記記憶手段が記憶する前記座標定義情報に基づいて、前記電子ペンによって記入された前記シートを特定し、前記電子ペンによって前記ページ設定エリアに記入されたか否かを判定する判定手段、として機能させ、
前記ページ番号設定処理手段は、前記電子ペンによる前記ページ設定エリアへの記入に基づいて、前記複数のシートに対してページ番号を設定し、前記判定手段が前記電子ペンによって前記ページ設定エリアに記入されたと判定した場合に、特定した前記シートに対してページ番号を設定することを特徴とするプログラム。
【請求項２９】
前記シートセットは、コード化パターンが形成されると共に、前記複数のシートに対するページ番号の設定を開始するための開始エリアと、前記複数のシートに対するページ番号の設定を終了するための終了エリアとが設けられたページ設定シートを更に備え、
前記ページ番号設定処理手段は、前記電子ペンによって前記開始エリアに記入された場合に、前記複数のシートに対するページ番号の設定を開始し、前記電子ペンによって前記終了エリアに記入された場合に、前記複数のシートに対するページ番号の設定を終了することを特徴とする請求項２８に記載のプログラム。
【請求項３０】
前記コンピュータ装置を、
前記複数のシートのそれぞれに形成された前記コード化パターンと、前記開始エリアに形成された前記コード化パターンと、前記終了エリアに形成された前記コード化パターンとについて、座標定義情報を記憶する記憶手段、
前記記憶手段が記憶する前記座標定義情報に基づいて、前記シートセットにおいて前記電子ペンによって記入されたシートを特定する特定手段、
前記電子ペンによって記入されたシートが前記ページ設定シートであると前記特定手段が特定した場合に、前記記憶手段が記憶する前記座標定義情報に基づいて、前記電子ペンによって前記開始エリア及び前記終了エリアのいずれのエリアに記入されたかを判定する判定手段、として更に機能させ、
前記ページ番号設定処理手段は、
前記電子ペンによって前記開始エリアに記入されたと前記判定手段が判定した後に、前記特定手段が特定した前記シートに対してページ番号を設定し、
前記電子ペンによって前記終了エリアに記入されたと前記判定手段が判定した場合に、前記シートに対するページ番号の設定を終了することを特徴とする請求項２９に記載のプログラム。
【請求項３１】
前記シートセットは、前記複数のシートに対するページ番号の設定の開始と終了とを切り替えるために使用され、コード化パターンが形成されたページ設定シートを更に備え、
前記ページ番号設定処理手段は、
前記電子ペンによって前記ページ設定シートに記入されることで、ページ番号の設定が終了から開始に切り替えられた場合に、前記複数のシートに対するページ番号の設定を開始し、
前記電子ペンによって前記ページ設定シートに記入されることで、ページ番号の設定が開始から終了に切り替えられた場合に、前記複数のシートに対するページ番号の設定を終了することを特徴とする請求項２８に記載のプログラム。
【請求項３２】
前記コンピュータ装置を、
前記複数のシートのそれぞれに形成された前記コード化パターンと、前記ページ設定シートに形成された前記コード化パターンとについて、座標定義情報を記憶する記憶手段、
前記記憶手段が記憶する前記座標定義情報に基づいて、前記シートセットにおいて前記電子ペンによって記入されたシートを特定する特定手段、
前記電子ペンによって記入されたシートが前記ページ設定シートであると前記特定手段が特定した場合において、ページ番号の設定を開始している場合にはページ番号の設定を終了に切り替え、ページ番号の設定を終了している場合にはページ番号の設定を開始に切り替える切り替え手段、として更に機能させ、
前記ページ番号設定処理手段は、
前記切り替え手段がページ番号の設定を終了から開始に切り替えた後に、前記特定手段が特定した前記シートに対してページ番号を設定し、
前記切り替え手段がページ番号の設定を開始から終了に切り替えた場合に、前記シートに対するページ番号の設定を終了することを特徴とする請求項３１に記載のプログラム。
【請求項３３】
前記コンピュータを、
前記ページ番号設定処理手段がページ番号の設定を開始した場合に、ページ番号の設定中であることを示す画像を表示させると共に、前記ページ番号設定処理手段がページ番号の設定を終了した場合に、ページ番号の設定中であることを示す画像を非表示にさせるか、又はページ番号の設定中でないことを示す画像を表示させる手段として更に機能させることを特徴とする請求項２９乃至３２のいずれか一項に記載のプログラム。
【請求項３４】
前記ページ番号設定処理手段は、前記電子ペンによって記入された前記シートについてページ番号が設定されていない場合に、前記シートに対してページ番号を設定する処理を行うことを特徴とする請求項２８に記載のプログラム。
【請求項３５】
前記シートセットは、前記複数のシートに設定されたページ番号をリセットするために使用され、コード化パターンが形成されたリセットシートを更に備え、
前記ページ番号設定処理手段は、前記電子ペンによって前記リセットシートに記入された場合に、前記複数のシートに設定されたページ番号をリセットすることを特徴とする請求項３４に記載のプログラム。
【請求項３６】
前記コンピュータ装置を、
前記複数のシートのそれぞれに形成された前記コード化パターンと、前記リセットシートに形成された前記コード化パターンとについて、座標定義情報を記憶する記憶手段、
前記記憶手段が記憶する前記座標定義情報に基づいて、前記シートセットにおいて前記電子ペンによって記入されたシートを特定する特定手段、として更に機能させ、
前記ページ番号設定処理手段は、前記電子ペンによって記入されたシートが前記リセットシートであると前記特定手段が特定した場合に、前記複数のシートに設定されたページ番号をリセットすることを特徴とする請求項３５に記載のプログラム。
【請求項３７】
前記ページ番号設定処理手段は、前記電子ペンによる前記シートへの記入に基づいて、前記シートに設定するページ番号をインクリメントし、インクリメントした当該ページ番号を、前記シートに対して設定することを特徴とする請求項２８乃至３６のいずれか一項に記載のプログラム。
【請求項３８】
前記ページ番号設定処理手段は、既にページ番号を設定した前記シートに対して前記電子ペンによって記入された場合には、前記シートに設定するページ番号をインクリメントしないと共に、前記シートに対して新たなページ番号を設定しないことを特徴とする請求項３７に記載のプログラム。
【請求項３９】
前記複数のシートは、それぞれ、複数のページ番号が印刷され、前記複数のページ番号の中から設定するページ番号を選択するための複数のページ選択エリアが設けられており、
前記ページ番号設定処理手段は、前記電子ペンによる前記ページ選択エリアへの記入に基づいて、該当する前記シートに対してページ番号を設定することを特徴とする請求項２８に記載のプログラム。
【請求項４０】
前記コンピュータ装置を、
前記複数のシートのそれぞれに形成された前記コード化パターンと、前記複数のシートのそれぞれに設けられた前記複数のページ選択エリアの各々に形成された前記コード化パターンとについて、座標定義情報を記憶する記憶手段、
前記記憶手段が記憶する前記座標定義情報に基づいて、前記電子ペンによって記入されたシートを特定するとともに、前記電子ペンによってページ選択エリアに記入されと判定した場合に、当該ページ選択エリアを特定する判定手段、として更に機能させ、
前記ページ番号設定処理手段は、前記判定手段が前記電子ペンによって前記ページ選択エリアに記入されたと判定したシートに対してページ番号を設定することを特徴とする請求項３９に記載のプログラム。
【請求項４１】
前記ページ番号設定処理手段は、
前記電子ペンによって記入された前記ページ選択エリアに対応するページ番号が、既に設定が行われたページ番号に一致しない場合に、前記ページ選択エリアに対応するページ番号を前記シートに対して設定し、
前記電子ペンによって記入された前記ページ選択エリアに対応するページ番号が、既に設定が行われたページ番号に一致する場合、前記ページ選択エリアに対応するページ番号を前記シートに対して設定しないことを特徴とする請求項３９又は４０に記載のプログラム。
【請求項４２】
前記ページ番号設定処理手段は、
前記電子ペンによる前記ページ選択エリアへの記入に基づいて、前記シートに設定するページ番号をインクリメントし、
前記電子ペンによって記入された前記ページ選択エリアに対応するページ番号が、インクリメントした当該ページ番号に一致する場合に、前記ページ選択エリアに対応するページ番号を前記シートに対して設定し、
前記電子ペンによって記入された前記ページ選択エリアに対応するページ番号が、インクリメントした当該ページ番号に一致しない場合、前記ページ選択エリアに対応するページ番号を前記シートに対して設定しないことを特徴とする請求項３９又は４０に記載のプログラム。
【請求項４３】
前記ページ番号設定処理手段は、所定のアプリケーションの起動時及び終了時のうちの少なくともいずれかの時点で、前記複数のシートに設定されたページ番号をリセットすることを特徴とする請求項２８乃至４２のいずれか一項に記載のプログラム。
【請求項４４】
前記コンピュータ装置を、
前記電子ペンによって記入された前記シートについてページ番号が設定されていない場合に、ページ番号が設定されていない旨を報知する手段として更に機能させることを特徴とする請求項２８乃至４３のいずれか一項に記載のプログラム。
【請求項４５】
前記コンピュータ装置を、
ページ番号が既に設定されている前記シートに対して前記電子ペンによって記入された場合に、前記記入情報に対応する手書きストロークを所定のアプリケーション上に表示させる手段として更に機能させることを特徴とする請求項２８乃至４４のいずれか一項に記載のプログラム。
【発明の詳細な説明】
【技術分野】
【０００１】
本発明は、コード化パターンが形成されたシートセットを利用した情報処理システムに関する。
【背景技術】
【０００２】
近年、記入した情報を電子化する電子ペンが開発されており、その代表的なものとしてスウェーデンのAnoto社が開発した「アノトペン（Anoto pen）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
また、特許文献２には、クリアファイルにドットパターンを形成すること、及び、ページ認識のためのドットパターン（ページ区分Ｐ）を、クリアファイルに差し込むドキュメントＤに印刷することが記載されている。特許文献３には、クリアファイルにドットパターンを形成すること、及び、ページ区分を認識するために当該ドットパターンを用いることが記載されている。特許文献４には、リライトシートに、ドットパターンと、ページ認識のためのドットパターン（ページ区分Ｐ）と、パソコンで作成したドキュメントとを印刷することが記載されている。
【先行技術文献】
【特許文献】
【０００４】
【特許文献１】特許第３８７２４９８号公報
【特許文献２】特開２００８−４７０４４号公報
【特許文献３】特開２００８−４７０４６号公報
【特許文献４】特開２００８−４７０４３号公報
【発明の概要】
【発明が解決しようとする課題】
【０００５】
しかしながら、従来の技術では、プレゼンテーションのアプリケーション（以下、適宜「プレゼンアプリ」と表記する。）を実行する場面において、簡便に、電子ペンによる手書きストロークを当該アプリケーション上に表示させることが困難であった。例えば、電子ペンによる手書きストロークを、プレゼンアプリで使用される適切なページに表示させることが困難であった。そこで、本発明は、簡便に、電子ペンによる手書きストロークをプレゼンテーションのアプリケーションにおける適切なページに表示させることが可能なシートセット、情報処理システム、及びプログラムを提案することを主な目的とする。
【課題を解決するための手段】
【０００９】
本発明の１つの観点では、シートセットは、下に重ねられた用紙に記載された内容が透けて視認されるように構成され、それぞれで異なるコード化パターンが形成された複数のシートと、コード化パターンが形成されると共に、前記複数のシートに対するページ番号の設定を開始するための開始エリアと、前記複数のシートに対する前記ページ番号の設定を終了するための終了エリアとが設けられたページ設定シートと、を備える。
【００１０】
上記のシートセットは、複数のシートの他に、複数のシートに対するページ番号の設定を開始するための開始エリアと、複数のシートに対するページ番号の設定を終了するための終了エリアとが設けられていると共に、コード化パターンが形成されたページ設定シートを有する。このようなページ設定シートを利用することで、ユーザは、自らの判断で、ページ番号設定を開始させたり終了させたりすることができる。これにより、ページ番号設定を的確に行うことが可能となる。
【００１１】
本発明の他の観点では、シートセットは、下に重ねられた用紙に記載された内容が透けて視認されるように構成され、それぞれで異なるコード化パターンが形成された複数のシートと、前記複数のシートに対するページ番号の設定の開始と終了とを切り替えるために使用され、コード化パターンが形成されたページ設定シートと、を備える。
【００１２】
上記のシートセットは、複数のシートの他に、複数のシートに対するページ番号の設定の開始と終了とを切り替えるために使用され、コード化パターンが形成されたページ設定シートを有する。このようなページ設定シートを利用することによっても、ユーザは、自らの判断で、ページ番号設定を開始させたり終了させたりすることができる。
【００１３】
本発明の他の観点では、シートセットは、下に重ねられた用紙に記載された内容が透けて視認されるように構成され、それぞれで異なるコード化パターンが形成された複数のシートと、前記複数のシートに設定されたページ番号をリセットするために使用され、コード化パターンが形成されたリセットシートと、を備える。
【００１４】
上記のシートセットは、複数のシートの他に、複数のシートに設定されたページ番号をリセットするために使用され、コード化パターンが形成されたリセットシートを有する。このようなリセットシートを利用することで、ユーザは、複数のシートに設定されたページ番号を自由にリセットすることができる。
【００１５】
本発明の他の観点では、下に重ねられた用紙に記載された内容が透けて視認されるように構成され、それぞれで異なるコード化パターンが形成された複数のシートを有するシートセットであって、前記複数のシートは、それぞれ、複数のページ番号が印刷され、前記複数のページ番号の中から設定するページ番号を選択するための複数のページ選択エリアが設けられている。
【００１６】
上記のシートセットにおいて、複数のシートは、それぞれ、複数のページ番号が印刷され、複数のページ番号の中から設定するページ番号を選択するための複数のページ選択エリアが設けられている。このようにページ番号が印刷されたページ選択エリアが設けられたシートを利用することで、ユーザは、シートに対して設定するページ番号を視認しながら、ページ番号設定の作業を行うことができる。よって、ユーザは、容易かつ的確に、ページ番号設定の作業を行うことができる。
【００１７】
上記のシートセットの一態様では、前記複数のシートは、綴じるために用いられる穴が形成されており、前記用紙と重ねた状態で、前記穴を用いて綴じられる。この態様では、複数のシートの各々が対応する資料の上に重ねられて、このようにシートと資料とを重ねた状態にある複数のセットを一まとまりにして、シート及び資料に形成された穴を用いて綴じられる。
【００１８】
好適には、前記複数のシートを、前記用紙を差し入れて保持可能に構成することができる。具体的には、用紙を挟めるようにシートを袋状に構成したり、用紙をシートに固定できるようにシートに複数の差し込み部を設けたりするとよい。このように各シートに用紙を保持させることで、ユーザは、シートと用紙の組合せを間違えないように気遣うことなく、プレゼンアプリを操作できる。
【００１９】
上記のシートセットの他の一態様では、前記複数のシートは、トレーシングペーパーまたはクリアファイルで構成されている。この態様によれば、前記複数のシートがトレーシングペーパーで構成されている場合には、インクユニットを有する電子ペンで記入できるため、シート上に筆跡が残り、資料の内容と手書きした内容の視認性がよい。また、前記複数のシートがクリアファイルで構成されている場合には、資料を差し込むことができるため、資料とシートがバラバラになりにくい。
【００２０】
上記のシートセットの他の一態様では、前記複数のシートには、方眼メッシュが形成されている。この態様によれば、ユーザは、電子ペンによって手書きストロークを記入する際に、方眼メッシュを利用することで、たとえば文字を揃えて記入したり図形や数式などを容易に記入したりすることが可能となる。
【００２１】
上記のシートセットの他の一態様では、前記複数のシートは、表面が透明ニスでコーティングされている。この態様によれば、例えばインクユニットを有する電子ペンによって手書きストロークが記入されたとしても、記入されたインクを消しゴムなどで適切に除去することができるので、上記したシートセットを複数回利用することが可能となる。
【００２２】
本発明の他の観点では、下に重ねられた用紙に記載された内容が透けて視認されるように構成され、それぞれで異なるコード化パターンが形成された複数のシートを有するシートセットと、前記シートセットが有する前記シートに形成された前記コード化パターンを読み取り、当該コード化パターンに関する記入情報を生成する電子ペンと、前記電子ペンから前記記入情報を受信して、当該記入情報に応じた処理を行うコンピュータ装置と、を備える情報処理システムであって、前記複数のシートは、それぞれ、ページ番号を設定するためのページ設定エリアが設けられており、前記コンピュータ装置は、前記電子ペンから前記記入情報を受信する受信手段と、前記受信手段が受信した前記記入情報に基づいて、前記複数のシートに対してページ番号を設定する処理を行うページ番号設定処理手段と、前記複数のシートのそれぞれに形成された前記コード化パターンと、その各シートに設けられた前記ページ設定エリアにそれぞれ形成された前記コード化パターンとについて、座標定義情報を記憶する記憶手段と、前記記憶手段が記憶する前記座標定義情報に基づいて、前記電子ペンによって記入されたシートを特定し、前記電子ペンによって前記ページ設定エリアに記入されたか否かを判定する判定手段と、を備え、前記ページ番号設定処理手段は、前記電子ペンによる前記ページ設定エリアへの記入に基づいて、前記複数のシートに対してページ番号を設定し、前記判定手段が前記電子ペンによって前記ページ設定エリアに記入されたと判定した場合に、特定した前記シートに対してページ番号を設定する。
【００２３】
上記の情報処理システムによれば、複数のシートのそれぞれに対して適切にページ番号を設定することができる。よって、複数のシートのページを、例えばプレゼンアプリの内容が印刷された資料のページと容易に対応付けることが可能となる。また、このようにページ番号設定された複数のシートを用いることで、簡便に、電子ペンによる手書きストロークをプレゼンアプリ上に表示させることができる。また、ユーザは、シートに設けられたページ設定エリアに電子ペンで記入するといった簡便な作業で、複数のシートに対するページ番号の設定を適切に実現することができる。
【００２６】
上記の情報処理システムの他の一態様では、前記シートセットは、コード化パターンが形成されると共に、前記複数のシートに対するページ番号の設定を開始するための開始エリアと、前記複数のシートに対するページ番号の設定を終了するための終了エリアとが設けられたページ設定シートを更に備え、前記ページ番号設定処理手段は、前記電子ペンによって前記開始エリアに記入された場合に、前記複数のシートに対するページ番号の設定を開始し、前記電子ペンによって前記終了エリアに記入された場合に、前記複数のシートに対するページ番号の設定を終了する。この態様によれば、ユーザは、ページ設定シートを利用することで、自らの判断で、ページ番号設定を開始させたり終了させたりすることができる。これにより、ページ番号設定を的確に行うことが可能となる。
【００２７】
上記の情報処理システムにおいて好適には、前記コンピュータ装置は、前記複数のシートのそれぞれに形成された前記コード化パターンと、前記開始エリアに形成された前記コード化パターンと、前記終了エリアに形成された前記コード化パターンとについて、座標定義情報を記憶する記憶手段と、前記記憶手段が記憶する前記座標定義情報に基づいて、前記シートセットにおいて前記電子ペンによって記入されたシートを特定する特定手段と、前記電子ペンによって記入されたシートが前記ページ設定シートであると前記特定手段が特定した場合に、前記記憶手段が記憶する前記座標定義情報に基づいて、前記電子ペンによって前記開始エリア及び前記終了エリアのいずれのエリアに記入されたかを判定する判定手段と、を更に備え、前記ページ番号設定処理手段は、前記電子ペンによって前記開始エリアに記入されたと前記判定手段が判定した後に、前記特定手段が特定した前記シートに対してページ番号を設定し、前記電子ペンによって前記終了エリアに記入されたと前記判定手段が判定した場合に、前記シートに対するページ番号の設定を終了する。
【００２８】
上記の情報処理システムの他の一態様では、前記シートセットは、前記複数のシートに対するページ番号の設定の開始と終了とを切り替えるために使用され、コード化パターンが形成されたページ設定シートを更に備え、前記ページ番号設定処理手段は、前記電子ペンによって前記ページ設定シートに記入されることで、ページ番号の設定が終了から開始に切り替えられた場合に、前記複数のシートに対するページ番号の設定を開始し、前記電子ペンによって前記ページ設定シートに記入されることで、ページ番号の設定が開始から終了に切り替えられた場合に、前記複数のシートに対するページ番号の設定を終了する。この態様によっても、ユーザは、ページ設定シートを利用することで、自らの判断で、ページ番号設定を開始させたり終了させたりすることができる。
【００２９】
上記の情報処理システムにおいて好適には、前記コンピュータ装置は、前記複数のシートのそれぞれに形成された前記コード化パターンと、前記ページ設定シートに形成された前記コード化パターンとについて、座標定義情報を記憶する記憶手段と、前記記憶手段が記憶する前記座標定義情報に基づいて、前記シートセットにおいて前記電子ペンによって記入されたシートを特定する特定手段と、前記電子ペンによって記入されたシートが前記ページ設定シートであると前記特定手段が特定した場合において、ページ番号の設定を開始している場合にはページ番号の設定を終了に切り替え、ページ番号の設定を終了している場合にはページ番号の設定を開始に切り替える切り替え手段と、を更に備え、前記ページ番号設定処理手段は、前記切り替え手段がページ番号の設定を終了から開始に切り替えた後に、前記特定手段が特定した前記シートに対してページ番号を設定し、前記切り替え手段がページ番号の設定を開始から終了に切り替えた場合に、前記シートに対するページ番号の設定を終了する。
【００３０】
上記の情報処理システムの他の一態様では、前記ページ番号設定処理手段がページ番号の設定を開始した場合に、ページ番号の設定中であることを示す画像を表示させると共に、前記ページ番号設定処理手段がページ番号の設定を終了した場合に、ページ番号の設定中であることを示す画像を非表示にさせるか、又はページ番号の設定中でないことを示す画像を表示させる手段を更に備える。これにより、ユーザは、ページ番号設定中であるか否かを即座に認識することができる。
【００３１】
上記の情報処理システムの他の一態様では、前記ページ番号設定処理手段は、前記電子ペンによって記入された前記シートについてページ番号が設定されていない場合に、前記シートに対してページ番号を設定する処理を行うことができる。
【００３２】
上記の情報処理システムの他の一態様では、前記シートセットは、前記複数のシートに設定されたページ番号をリセットするために使用され、コード化パターンが形成されたリセットシートを更に備え、前記ページ番号設定処理手段は、前記電子ペンによって前記リセットシートに記入された場合に、前記複数のシートに設定されたページ番号をリセットする。この態様によれば、ユーザは、リセットシートを利用することで、複数のシートに設定されたページ番号を自由にリセットすることができる。
【００３３】
上記の情報処理システムにおいて好適には、前記コンピュータ装置は、前記複数のシートのそれぞれに形成された前記コード化パターンと、前記リセットシートに形成された前記コード化パターンとについて、座標定義情報を記憶する記憶手段と、前記記憶手段が記憶する前記座標定義情報に基づいて、前記シートセットにおいて前記電子ペンによって記入されたシートを特定する特定手段と、を更に備え、前記ページ番号設定処理手段は、前記電子ペンによって記入されたシートが前記リセットシートであると前記特定手段が特定した場合に、前記複数のシートに設定されたページ番号をリセットする。
【００３４】
上記の情報処理システムの他の一態様では、前記ページ番号設定処理手段は、前記電子ペンによる前記シートへの記入に基づいて、前記シートに設定するページ番号をインクリメントし、インクリメントした当該ページ番号を、前記シートに対して設定する。これにより、複数のシートのそれぞれに対して適切にページ番号を設定することができる。
【００３５】
上記の情報処理システムの他の一態様では、前記ページ番号設定処理手段は、既にページ番号を設定した前記シートに対して前記電子ペンによって記入された場合には、前記シートに設定するページ番号をインクリメントしないと共に、前記シートに対して新たなページ番号を設定しない。これにより、ユーザが同じシートに電子ペンで複数回記入した場合に、設定されたページ番号が上書きされてしまったり同じページ番号が複数のシートに設定されてしまったりすることを適切に抑制することができる。
【００３６】
上記の情報処理システムの他の一態様では、前記複数のシートは、それぞれ、複数のページ番号が印刷され、前記複数のページ番号の中から設定するページ番号を選択するための複数のページ選択エリアが設けられており、前記ページ番号設定処理手段は、前記電子ペンによる前記ページ選択エリアへの記入に基づいて、該当する前記シートに対してページ番号を設定する。この態様によれば、ユーザは、ページ番号が印刷されたページ選択エリアが設けられたシートを利用することで、シートに対して設定するページ番号を視認しながら、容易かつ的確に、ページ番号設定の作業を行うことができる。
【００３７】
上記の情報処理システムにおいて好適には、前記コンピュータ装置は、前記複数のシートのそれぞれに形成された前記コード化パターンと、前記複数のシートのそれぞれに設けられた前記複数のページ選択エリアの各々に形成された前記コード化パターンとについて、座標定義情報を記憶する記憶手段と、前記記憶手段が記憶する前記座標定義情報に基づいて、前記電子ペンによって記入されたシートを特定するとともに、前記電子ペンによってページ選択エリアに記入されたと判定した場合に、当該ページ選択エリアを特定する判定手段と、を更に備え、前記ページ番号設定処理手段は、前記判定手段が前記電子ペンによって前記ページ選択エリアに記入されたと判定したシートに対してページ番号を設定する。
【００３８】
上記の情報処理システムの他の一態様では、前記ページ番号設定処理手段は、前記電子ペンによって記入された前記ページ選択エリアに対応するページ番号が、既に設定が行われたページ番号に一致しない場合に、前記ページ選択エリアに対応するページ番号を前記シートに対して設定し、前記電子ペンによって記入された前記ページ選択エリアに対応するページ番号が、既に設定が行われたページ番号に一致する場合、前記ページ選択エリアに対応するページ番号を前記シートに対して設定しない。この態様によれば、ユーザが、異なるシートで既に設定済みのページ番号に対応するページ選択エリアに電子ペンで記入した場合に、設定されるページ番号が上書きされてしまうことを適切に抑制することができる。
【００３９】
上記の情報処理システムの他の一態様では、前記ページ番号設定処理手段は、前記電子ペンによる前記ページ選択エリアへの記入に基づいて、前記シートに設定するページ番号をインクリメントし、前記電子ペンによって記入された前記ページ選択エリアに対応するページ番号が、インクリメントした当該ページ番号に一致する場合に、前記ページ選択エリアに対応するページ番号を前記シートに対して設定し、前記電子ペンによって記入された前記ページ選択エリアに対応するページ番号が、インクリメントした当該ページ番号に一致しない場合、前記ページ選択エリアに対応するページ番号を前記シートに対して設定しない。この態様によっても、設定されたページ番号が上書きされてしまったり同じページ番号が複数のシートに設定されてしまったりすることを適切に抑制することができる。また、ユーザに対して、ページ番号を若い順に適切に選択させることができる。
【００４０】
上記の情報処理システムにおいて好適には、前記ページ番号設定処理手段は、所定のアプリケーションの起動時及び終了時のうちの少なくともいずれかの時点で、前記複数のシートに設定されたページ番号をリセットすることができる。
【００４１】
上記の情報処理システムにおいて好適には、前記コンピュータ装置は、前記電子ペンによって記入された前記シートについてページ番号が設定されていない場合に、ページ番号が設定されていない旨を報知する手段を更に備える。
【００４２】
上記の情報処理システムにおいて好適には、前記コンピュータ装置は、ページ番号が既に設定されている前記シートに対して前記電子ペンによって記入された場合に、前記記入情報に対応する手書きストロークを所定のアプリケーション上に表示させる手段を更に備える。
【００４３】
本発明の他の観点では、下に重ねられた用紙に記載された内容が透けて視認されるように構成され、それぞれで異なるコード化パターンが形成された複数のシートを有するシートセットと、前記シートセットが有する前記シートに形成された前記コード化パターンを読み取り、当該コード化パターンに関する記入情報を生成する電子ペンと、前記電子ペンから前記記入情報を受信して、当該記入情報に応じた処理を行うコンピュータ装置と、を備える情報処理システムにおいて、前記コンピュータ装置により実行されるプログラムであって、前記複数のシートは、それぞれ、ページ番号を設定するためのページ設定エリアが設けられており、前記コンピュータ装置を、前記電子ペンから前記記入情報を受信する受信手段、前記受信手段が受信した前記記入情報に基づいて、前記複数のシートに対してページ番号を設定する処理を行うページ番号設定処理手段、前記複数のシートのそれぞれに形成された前記コード化パターンと、その各シートに設けられた前記ページ設定エリアにそれぞれ形成された前記コード化パターンとについて、座標定義情報を記憶する記憶手段、前記記憶手段が記憶する前記座標定義情報に基づいて、前記電子ペンによって記入された前記シートを特定し、前記電子ペンによって前記ページ設定エリアに記入されたか否かを判定する判定手段、として機能させ、前記ページ番号設定処理手段は、前記電子ペンによる前記ページ設定エリアへの記入に基づいて、前記複数のシートに対してページ番号を設定し、前記判定手段が前記電子ペンによって前記ページ設定エリアに記入されたと判定した場合に、特定した前記シートに対してページ番号を設定する。
【００４６】
上記のプログラムの他の一態様では、前記シートセットは、コード化パターンが形成されると共に、前記複数のシートに対するページ番号の設定を開始するための開始エリアと、前記複数のシートに対するページ番号の設定を終了するための終了エリアとが設けられたページ設定シートを更に備え、前記ページ番号設定処理手段は、前記電子ペンによって前記開始エリアに記入された場合に、前記複数のシートに対するページ番号の設定を開始し、前記電子ペンによって前記終了エリアに記入された場合に、前記複数のシートに対するページ番号の設定を終了する。
【００４７】
上記のプログラムの他の一態様では、前記コンピュータ装置を、前記複数のシートのそれぞれに形成された前記コード化パターンと、前記開始エリアに形成された前記コード化パターンと、前記終了エリアに形成された前記コード化パターンとについて、座標定義情報を記憶する記憶手段、前記記憶手段が記憶する前記座標定義情報に基づいて、前記シートセットにおいて前記電子ペンによって記入されたシートを特定する特定手段、前記電子ペンによって記入されたシートが前記ページ設定シートであると前記特定手段が特定した場合に、前記記憶手段が記憶する前記座標定義情報に基づいて、前記電子ペンによって前記開始エリア及び前記終了エリアのいずれのエリアに記入されたかを判定する判定手段、として更に機能させ、前記ページ番号設定処理手段は、前記電子ペンによって前記開始エリアに記入されたと前記判定手段が判定した後に、前記特定手段が特定した前記シートに対してページ番号を設定し、前記電子ペンによって前記終了エリアに記入されたと前記判定手段が判定した場合に、前記シートに対するページ番号の設定を終了する。
【００４８】
上記のプログラムの他の一態様では、前記シートセットは、前記複数のシートに対するページ番号の設定の開始と終了とを切り替えるために使用され、コード化パターンが形成されたページ設定シートを更に備え、前記ページ番号設定処理手段は、前記電子ペンによって前記ページ設定シートに記入されることで、ページ番号の設定が終了から開始に切り替えられた場合に、前記複数のシートに対するページ番号の設定を開始し、前記電子ペンによって前記ページ設定シートに記入されることで、ページ番号の設定が開始から終了に切り替えられた場合に、前記複数のシートに対するページ番号の設定を終了する。
【００４９】
上記のプログラムの他の一態様では、前記コンピュータ装置を、前記複数のシートのそれぞれに形成された前記コード化パターンと、前記ページ設定シートに形成された前記コード化パターンとについて、座標定義情報を記憶する記憶手段、前記記憶手段が記憶する前記座標定義情報に基づいて、前記シートセットにおいて前記電子ペンによって記入されたシートを特定する特定手段、前記電子ペンによって記入されたシートが前記ページ設定シートであると前記特定手段が特定した場合において、ページ番号の設定を開始している場合にはページ番号の設定を終了に切り替え、ページ番号の設定を終了している場合にはページ番号の設定を開始に切り替える切り替え手段、として更に機能させ、前記ページ番号設定処理手段は、前記切り替え手段がページ番号の設定を終了から開始に切り替えた後に、前記特定手段が特定した前記シートに対してページ番号を設定し、前記切り替え手段がページ番号の設定を開始から終了に切り替えた場合に、前記シートに対するページ番号の設定を終了する。
【００５０】
上記のプログラムの他の一態様では、前記コンピュータを、前記ページ番号設定処理手段がページ番号の設定を開始した場合に、ページ番号の設定中であることを示す画像を表示させると共に、前記ページ番号設定処理手段がページ番号の設定を終了した場合に、ページ番号の設定中であることを示す画像を非表示にさせるか、又はページ番号の設定中でないことを示す画像を表示させる手段として更に機能させる。
【００５１】
上記のプログラムの他の一態様では、前記ページ番号設定処理手段は、前記電子ペンによって記入された前記シートについてページ番号が設定されていない場合に、前記シートに対してページ番号を設定する処理を行う。
【００５２】
上記のプログラムの他の一態様では、前記シートセットは、前記複数のシートに設定されたページ番号をリセットするために使用され、コード化パターンが形成されたリセットシートを更に備え、前記ページ番号設定処理手段は、前記電子ペンによって前記リセットシートに記入された場合に、前記複数のシートに設定されたページ番号をリセットする。
【００５３】
上記のプログラムの他の一態様では、前記コンピュータ装置を、前記複数のシートのそれぞれに形成された前記コード化パターンと、前記リセットシートに形成された前記コード化パターンとについて、座標定義情報を記憶する記憶手段、前記記憶手段が記憶する前記座標定義情報に基づいて、前記シートセットにおいて前記電子ペンによって記入されたシートを特定する特定手段、として更に機能させ、前記ページ番号設定処理手段は、前記電子ペンによって記入されたシートが前記リセットシートであると前記特定手段が特定した場合に、前記複数のシートに設定されたページ番号をリセットする。
【００５４】
上記のプログラムの他の一態様では、前記ページ番号設定処理手段は、前記電子ペンによる前記シートへの記入に基づいて、前記シートに設定するページ番号をインクリメントし、インクリメントした当該ページ番号を、前記シートに対して設定する。
【００５５】
上記のプログラムの他の一態様では、前記ページ番号設定処理手段は、既にページ番号を設定した前記シートに対して前記電子ペンによって記入された場合には、前記シートに設定するページ番号をインクリメントしないと共に、前記シートに対して新たなページ番号を設定しない。
【００５６】
上記のプログラムの他の一態様では、前記複数のシートは、それぞれ、複数のページ番号が印刷され、前記複数のページ番号の中から設定するページ番号を選択するための複数のページ選択エリアが設けられており、前記ページ番号設定処理手段は、前記電子ペンによる前記ページ選択エリアへの記入に基づいて、該当する前記シートに対してページ番号を設定する。
【００５７】
上記のプログラムの他の一態様では、前記コンピュータ装置を、前記複数のシートのそれぞれに形成された前記コード化パターンと、前記複数のシートのそれぞれに設けられた前記複数のページ選択エリアの各々に形成された前記コード化パターンとについて、座標定義情報を記憶する記憶手段、前記記憶手段が記憶する前記座標定義情報に基づいて、前記電子ペンによって記入されたシートを特定するとともに、前記電子ペンによってページ選択エリアに記入されたと判定した場合に、当該ページ選択エリアを特定する判定手段、として更に機能させ、前記ページ番号設定処理手段は、前記判定手段が前記電子ペンによって前記ページ選択エリアに記入されたと判定したシートに対してページ番号を設定する。
【００５８】
上記のプログラムの他の一態様では、前記ページ番号設定処理手段は、前記電子ペンによって記入された前記ページ選択エリアに対応するページ番号が、既に設定が行われたページ番号に一致しない場合に、前記ページ選択エリアに対応するページ番号を前記シートに対して設定し、前記電子ペンによって記入された前記ページ選択エリアに対応するページ番号が、既に設定が行われたページ番号に一致する場合、前記ページ選択エリアに対応するページ番号を前記シートに対して設定しない。
【００５９】
上記のプログラムの他の一態様では、前記ページ番号設定処理手段は、前記電子ペンによる前記ページ選択エリアへの記入に基づいて、前記シートに設定するページ番号をインクリメントし、前記電子ペンによって記入された前記ページ選択エリアに対応するページ番号が、インクリメントした当該ページ番号に一致する場合に、前記ページ選択エリアに対応するページ番号を前記シートに対して設定し、前記電子ペンによって記入された前記ページ選択エリアに対応するページ番号が、インクリメントした当該ページ番号に一致しない場合、前記ページ選択エリアに対応するページ番号を前記シートに対して設定しない。
【００６０】
上記のプログラムにおいて好適には、前記ページ番号設定処理手段は、所定のアプリケーションの起動時及び終了時のうちの少なくともいずれかの時点で、前記複数のシートに設定されたページ番号をリセットする。
【００６１】
上記のプログラムにおいて好適には、前記コンピュータ装置を、前記電子ペンによって記入された前記シートについてページ番号が設定されていない場合に、ページ番号が設定されていない旨を報知する手段として更に機能させる。
【００６２】
上記のプログラムにおいて好適には、前記コンピュータ装置を、ページ番号が既に設定されている前記シートに対して前記電子ペンによって記入された場合に、前記記入情報に対応する手書きストロークを所定のアプリケーション上に表示させる手段として更に機能させる。
【００６３】
これらのプログラムを実行することにより、上記の情報処理システムを実現することができる。
【発明の効果】
【００６４】
本発明によれば、複数のシートのそれぞれに対して適切にページ番号を設定することができる。よって、複数のシートを、例えばプレゼンアプリの内容が印刷された資料とページ番号を合わせて容易に対応付けることが可能となる。また、このようにページ番号設定された複数のシートを用いることで、簡便に、電子ペンによる手書きストロークをプレゼンアプリ上に表示させることができる。
【図面の簡単な説明】
【００６５】
【図１】第１実施形態における情報処理システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】コンピュータ装置の機能ブロック図である。
【図６】（ａ）は、第１実施形態における透明シートに対してページ番号が設定される前の座標定義情報のデータ構造を示し、（ｂ）は、第１実施形態における透明シートに対してページ番号が設定された後の座標定義情報のデータ構造を示す。
【図７】第１実施形態におけるページ番号設定方法の概要を説明するための図を示す。
【図８】第１実施形態の情報処理システムによる処理フローを示す。
【図９】第１実施形態におけるページ番号設定処理の一例を示すフローである。
【図１０】第１実施形態におけるページ番号設定処理の他の例を示すフローである。
【図１１】第２実施形態における情報処理システムのシステム構成図である。
【図１２】（ａ）は、第２実施形態におけるページ設定シートの座標定義情報のデータ構造を示し、（ｂ）は、第２実施形態における透明シートに対してページ番号が設定される前の座標定義情報のデータ構造を示し、（ｃ）は、第２実施形態における透明シートに対してページ番号が設定された後の座標定義情報のデータ構造を示す。
【図１３】第２実施形態におけるページ番号設定方法の概要を説明するための図を示す。
【図１４】第２実施形態の情報処理システムによる処理フローを示す。
【図１５】第２実施形態の変形例１におけるページ設定シートを示す図である。
【図１６】（ａ）は、第２実施形態の変形例１におけるページ設定シートの座標定義情報のデータ構造を示し、（ｂ）は、第２実施形態の変形例１における透明シートに対してページ番号が設定される前の座標定義情報のデータ構造を示し、（ｃ）は、第２実施形態の変形例１における透明シートに対してページ番号が設定された後の座標定義情報のデータ構造を示す。
【図１７】第２実施形態の変形例１における情報処理システムによる処理フローを示す。
【図１８】第２実施形態の変形例２におけるリセットシートを示す図である。
【図１９】（ａ）は、第２実施形態の変形例２におけるリセットシートの座標定義情報のデータ構造を示し、（ｂ）は、第２実施形態の変形例２における透明シートに対してページ番号が設定される前の座標定義情報のデータ構造を示し、（ｃ）は、第２実施形態の変形例２における透明シートに対してページ番号が設定された後の座標定義情報のデータ構造を示す。
【図２０】第２実施形態の変形例２における情報処理システムによる処理フローを示す。
【図２１】第２実施形態の変形例３における情報処理システムによる処理フローを示す。
【図２２】第３実施形態における情報処理システムのシステム構成図である。
【図２３】（ａ）は、第３実施形態における透明シートの座標定義情報のデータ構造を示し、（ｂ）は、第３実施形態における透明シートに対してページ番号が設定される前の対応表のデータ構造を示し、（ｃ）は、第３実施形態における透明シートに対してページ番号が設定された後の対応表のデータ構造を示している。
【図２４】第３実施形態におけるページ番号設定方法の概要を説明するための図を示す。
【図２５】第３実施形態の情報処理システムによる処理フローを示す。
【図２６】第３実施形態におけるページ番号設定処理の一例を示すフローである。
【図２７】第３実施形態におけるページ番号設定処理の他の例を示すフローである。
【図２８】（ａ）は、電子ペンによる筆記側の基材フィルム上にドットパターンが形成された変形例１に係る構成例を示し、（ｂ）は、電子ペンによる筆記がなされない基材フィルム上にドットパターンが形成された変形例１に係る構成例を示し、（ｃ）は、ドットパターンが基材フィルムで挟み込まれた変形例１に係る構成例を示す。
【図２９】変形例２に係る透明シートを示す図である。
【図３０】変形例３に係るシートを示す図である。
【図３１】変形例４に係る透明シートを示す図である。
【図３２】（ａ）は、変形例５に係る透明シートを示し、（ｂ）は、透明パッチシールの一例を示し、（ｃ）は、透明パッチシールの他の例を示す。
【発明を実施するための形態】
【００６６】
以下、図面を参照しながら、本発明の実施の形態について説明する。
【００６７】
＜第１実施形態＞
まず、本発明に係る第１実施形態について説明する。
［情報処理システムの構成］
図１は、第１実施形態に係る情報処理システムの構成を示す。図１に示すように、第１実施形態に係る情報処理システムは、ユーザが使用する電子ペン１と、電子ペン１から記入情報等を受信して処理するコンピュータ装置２と、コンピュータ装置２からの印刷指示（出力命令）に従って資料６を印刷するプリンタ３と、コンピュータ装置２のディスプレイに表示する画像と同様の画像をスクリーン５に映し出すプロジェクタ４と、複数の透明シート７を具備するシートセット３０と、を有する。
【００６８】
コンピュータ装置２は、プレゼンテーション用のアプリケーション（プレゼンアプリ）のプログラムがインストールされており、プレゼンアプリを実行する。この場合、コンピュータ装置２は、プレゼンアプリの内容を示す画像をディスプレイに表示させると共に、当該画像と同様の画像をプロジェクタ４を介してスクリーン５に映し出す。また、コンピュータ装置２は、プレゼンアプリの内容を印刷するための印刷指示をプリンタ３に出力することで、当該プレゼンアプリの内容が印刷された資料６を生成する。
【００６９】
シートセット３０は、下に重ねられた資料６に記載された内容が透けて視認されるように構成された、複数の透明シート７から構成される。例えば、透明シート７は、透明なポリプロピレンシートで構成されている。複数の透明シート７は、それぞれで座標範囲の異なるユニークなドットパターンが形成されている。なお、本実施形態では、ドットパターンは、アノト方式のものによるが、他のコード化パターンを用いても良い。また、複数の透明シート７には、綴じるために用いられる２つの穴７ａが形成されている。資料６についても、透明シート７に形成された穴７ａと同様の位置に、穴６ａが形成される。これらの穴７ａ及び穴６ａは、例えば、パンチによって開けられたパンチ穴に相当する。
【００７０】
更に、複数の透明シート７には、それぞれ、ページ番号を設定するためのページ設定エリア７ｂが設けられている。具体的には、ページ設定エリア７ｂは、透明シート７においてドットパターンが形成された領域の一部の領域に対応し、透明シート７における所定の領域に印刷された枠（赤外域に吸収性を持たないインキによって印刷されている）によって、ユーザに認識される。この場合、ページ設定エリア７ｂは、透明シート７の端の領域に設けられている。
【００７１】
第１実施形態では、各透明シート７をプレゼンアプリの内容が印刷された各資料６のページに対応付けるべく、このようなページ設定エリア７ｂを利用して、複数の透明シート７に対してページ番号が設定される。具体的には、ユーザは、ページ番号の設定を行う複数の透明シート７について、それぞれに設けられたページ設定エリア７ｂに対して電子ペン１によってタップする作業を行う。そして、コンピュータ装置２は、ユーザが当該作業を行っている際に電子ペン１から受信する記入情報に基づいて、所定の処理（以下、適宜「ページ番号設定処理」と呼ぶ。）を行うことで、複数の透明シート７のそれぞれに対してページ番号を割り振る。ページ番号設定処理については、詳細は後述する。
【００７２】
上記のページ番号設定処理の後、複数の透明シート７は、それぞれ、プレゼンアプリで使用されるページに対応する資料６の表側の面に重ねられる。つまり、複数の透明シート７及び複数の資料６が、ページ番号が同じ対応する透明シート７と資料６とを交互に重ねた状態にされる。そして、このように対応する透明シート７と資料６とを交互に重ねた状態で、透明シート７に形成された穴７ａ及び資料６に形成された穴６ａのそれぞれにリング（留め具）１０を挿入することで綴じられる。具体的には、透明シート７及び資料６は、透明シート７及び資料６の各々に２つ形成された穴７ａ、６ａに２つのリング１０が挿入されることで固定される。この場合、全ての資料６の表側が同じ方向を向くように、透明シート７及び資料６が綴じられる。このように透明シート７及び資料６が綴じられた状態では、透明シート７を透して資料６に印刷された内容がユーザに視認されることとなる。なお、透明シート７と資料６とを重ねるのは、ページ番号設定処理の前であってもよい。
【００７３】
図１に示すような情報処理システムは、例えば以下のように利用される。ユーザは、リング１０によって適切に綴じられた状態にある透明シート７及び資料６を用いて、電子ペン１によって透明シート７の表面に手書きストロークを記入しながら、プレゼンテーションを行う。具体的には、ユーザは、透明シート７を透して資料６を視認して、当該資料６の対応する箇所に手書きストロークを記入する。また、ユーザは、同じページ番号で１組となっている透明シート７及び資料６の両方をめくることで、実行するプレゼンテーションに応じた資料６のページを開く（この場合、当該資料６に対応する透明シート７が手前にくる）。
【００７４】
そして、コンピュータ装置２は、上記のように電子ペン１によって手書きストロークが記入された場合に、当該手書きストロークをプレゼンアプリ上に表示させる。具体的には、コンピュータ装置２は、手書きストロークをプレゼンアプリの内容を示す画像上に重畳して表示させた画像を、ディスプレイに表示させると共に、プロジェクタ４を介してスクリーン５に映し出す。このとき、コンピュータ装置２は、手書きストロークが記入されたページの画像が現在表示されていない場合には、当該手書きストロークが記入されたページの画像に切り替えて表示させる。
【００７５】
なお、上記では、資料６及び透明シート７の各々に２つ形成された穴６ａ、７ａを用いて資料６及び透明シート７を綴じる例を示したが、このような２つの穴を用いる代わりに、１つあるいは３つ以上の穴を用いて資料６及び透明シート７を綴じることとしても良い。また、上記ではリング１０を用いて資料６及び透明シート７を綴じる例を示したが、リング１０を用いて綴じることに限定はされない。例えば、リング１０の代わりに、紐などを用いて、資料６及び透明シート７を綴じても良い。なお、このような変形例は、以下で説明する実施形態にも同様に適用されるものとする。
【００７６】
［ドットパターン］
続いて、透明シート７に形成されたアノト方式のドットパターン（コード化パターン）について説明する。図２は、透明シート７に印刷されたドットパターンのドットとそのドットが変換される値との関係を説明する図である。図２に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、透明シート７上の位置座標が決定されるよう構成されている。
【００７７】
図３（ａ）は、あるドットパターンの配列を示している。図３（ａ）に示すように、縦横約２ｍｍの範囲内に６×６個のドットが、透明シート７上のどの部分から６×６ドットを取ってもユニークなパターンとなるように配置されている。これら３６個のドットにより形成されるドットパターンは位置座標（例えば、そのドットパターンが透明シート７上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００７８】
［電子ペン］
次に電子ペン１について説明する。図４に示すように、電子ペン１は、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。ペン部１０４の先端は、ペン先部１０３となっており、ユーザは、電子ペン１のペン先部１０３を透明シート７上に当接させて、文字等のストローク（手書きストローク）を記入したり、タップ（ペン先部１０３による透明シート７への軽叩）したりする。なお、本明細書では、電子ペン１による「記入」は、このような「ストローク」及び「タップ」の両方を含むものとする。ここで、電子ペン１のペン先部１０３が透明シート７に最初に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００７９】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により透明シート７に文字やマークを書いたりタップしたりする際にペン先部１０３からペン部１０４を通じて与えられる圧力、即ち筆圧を検出し、その値をプロセッサ１０８へ伝送する。
【００８０】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で透明シート７に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報としてコンピュータ装置２へ送信する。また、ユーザが１つのストロークを記入し終えて電子ペン１を透明シート７から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置２へ送信する。
【００８１】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、透明シート７上のペン先部１０３近傍に向けて赤外線を照明する。その領域は、ペン先部１０３が透明シート７に接触する位置とはわずかにずれている。ＣＭＯＳカメラ１０６には、赤外線を透過し赤外線以外を遮断する赤外線フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、ドットのインク素材は、赤外線を反射するため、ＬＥＤ１０５によって照射された赤外線は、ドットによって反射される。そのため、ドットの部分は、赤外線の反射量が比較的多く、ドット以外の部分は赤外線の反射量が比較的少ない。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００８２】
プロセッサ１０８は、ユーザの記入が行われる間、ＣＭＯＳカメラ１０６によって供給される画像データのドットパターンから、ユーザが記入するストローク（筆跡）の透明シート７上におけるＸ，Ｙ座標（単に「位置座標」、「座標情報」とも呼ぶ）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ，Ｙ座標データを演算する。なお、プロセッサ１０８は、ドットパターンに対向する電子ペン１の角度に起因するドットの配列の傾きを補正する回転補正処理機能を備えており、適正にＸ，Ｙ座標データを演算する。そして、プロセッサ１０８は、リアルタイムクロック１１０から発信される現在時刻（タイムスタンプ：記入された時刻情報）、筆圧データ及びＸ，Ｙ座標データを関連付ける。以後、これらの関連付けたデータを、まとめて「座標属性情報」と呼ぶ。なお、透明シート７における６×６のドットパターンは、透明シート７内で重複することはないため、ユーザが電子ペン１で文字等を記入すると、記入された位置が透明シート７のどの位置に当たるかを、プロセッサ１０８による座標演算により特定することができる。
【００８３】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置２に送信された１個又は複数個の座標属性情報は、コンピュータ装置２によりストローク情報として記憶される。換言すると、１つのストロークは、１個又は複数個のＸ，Ｙ座標（座標点）からなり、コンピュータ装置２は、ペンダウン情報及びペンアップ情報によって、１つのストロークを構成する１個又は複数個の座標属性情報を認識する。このように、ユーザの一つのストロークの記入により、電子ペン１によって生成される座標属性情報の集合を「ストローク情報」と呼ぶ。また、ペン先部１０３は、インクを有さず、筆圧をペン部１０４を介して圧力センサ１０７に伝達する。
【００８４】
［コンピュータ装置］
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成されるパーソナルコンピュータ等で構成される。図５は、コンピュータ装置２の機能ブロック図である。コンピュータ装置２は、機能的には、マウスやキーボードといった入力手段２１、受信手段２２、処理手段２４、記憶手段２５、表示手段２６、画像出力手段２７及び印刷出力手段２８を備える。そして、コンピュータ装置２は、電子ペン１から受信した記入情報に基づいて所定の処理を行う。
【００８５】
受信手段２２は、アンテナ受信回路等により構成され、電子ペン１から記入情報を受信し、処理手段２４に伝送する。画像出力手段２７は、処理手段２４の指示による画像信号をプロジェクタ４に送信する。印刷出力手段２８は、処理手段２４の指示による資料６の印刷指示（出力命令）をプリンタ３に送信する。なお、プリンタ３及び／又はプロジェクタ４へのデータ送信方式は、有線式であっても無線式であってもよい。表示手段２６は、ディスプレイ等によって構成され、処理手段２４によって指示された内容を表示する。
【００８６】
記憶手段２５は、ハードディスクやＲＯＭ、ＲＡＭといったメモリによって構成される。記憶手段２５は、処理手段２４の処理命令により、電子ペン１から受信した記入情報をペンＩＤ毎に記憶し、さらに、処理手段２４の指示により、記憶領域を確保して、ペンダウンからペンアップまでの記入情報に含まれる座標属性情報をストローク情報としてペンＩＤ毎に記憶する。また、記憶手段２５は、予め、ページ番号設定処理のプログラムや、プレゼンアプリのプログラムや、ページ番号設定処理及びプレゼンアプリで利用する各種情報などを記憶している。
【００８７】
ここで、図６を参照して、記憶手段２５が記憶する各種情報の一例について説明する。図６は、第１実施形態に係る透明シート７に関する座標定義情報のデータ構造を示す。なお、「座標定義情報」とは、ドットパターンの座標範囲に関する情報を少なくとも有し、この座標範囲に関する情報に対して何らかの情報が対応付けられた情報を指すものとする。
【００８８】
図６（ａ）及び図６（ｂ）に示すように、透明シート７における座標定義情報として、透明シート７の識別情報と、透明シート７のページ番号と、透明シート７のそれぞれに形成されたドットパターンの座標範囲と、透明シート７のそれぞれに設けられたページ設定エリア７ｂに形成されたドットパターンの座標範囲とが対応付けられている。具体的には、図６（ａ）は、透明シート７に対してページ番号が設定される前の座標定義情報を示しており、ページ番号の情報がブランクとなっている。図６（ｂ）は、透明シート７に対してページ番号が設定された後の座標定義情報を示している。ここで、透明シート７の識別情報は、複数の透明シート７の各々を識別するための情報であり、図６（ａ）及び図６（ｂ）では、「Ａ」、「Ｂ」、「Ｃ」、…によって示している。なお、このような識別情報を、座標定義情報に含めなくても良い。また、ドットパターンの座標範囲は、矩形の角の位置座標（Ｘｎ，Ｙｎ）、高さ（Ｈ）、幅（Ｗ）で規定される。ページ設定エリア７ｂに形成されたドットパターンは、透明シート７に形成されたドットパターンの一部の領域のものである。
【００８９】
電子ペン１が透明シート７に記入した場合に、後述する処理手段２４は、記憶手段２５に記憶された座標定義情報を参照することで、複数の透明シート７の中で電子ペン１が記入したエリアを認識して、その透明シート７を特定することができる。具体的には、処理手段２４は、透明シート７において電子ペン１が記入したエリアが、どの透明シート７のページ設定エリア７ｂか、それ以外のエリアかを特定することができる。また、処理手段２４は、図６（ａ）に示すように、透明シート７に対してページ番号が設定される前は、その透明シート７にはページ番号が設定されていないことを特定することができる。
【００９０】
一方で、図６（ｂ）に示すように、透明シート７に対してページ番号が設定された後は、座標定義情報には、設定されたページ番号の情報が含まれている。図６（ｂ）において、「ｐ．１」、「ｐ．２」、「ｐ．３」などがページ番号を示している。ここでは、識別情報が「Ａ」である透明シート７に対してページ番号「ｐ．１」が割り振られ、識別情報が「Ｂ」である透明シート７に対してページ番号「ｐ．２」が割り振られ、識別情報が「Ｃ」である透明シート７に対してページ番号「ｐ．３」が割り振られた例を示している。このようにページ番号が設定された後の状態では、電子ペン１が透明シート７に記入した場合に、処理手段２４は、記憶手段２５に記憶された座標定義情報を参照することで、複数の透明シート７の中で電子ペン１が記入した透明シート７と記入したエリア、および、その透明シート７のページ番号を特定することが可能となる。なお、図６（ａ）及び図６（ｂ）では、説明の便宜上、３枚の透明シート７を示しているのであって、２枚以下又は４枚以上の透明シート７を用いても良いことは言うまでもない。
【００９１】
図５に戻って、処理手段２４について説明する。処理手段２４は、ＣＰＵ等のプロセッサによって構成される。本実施形態では、処理手段２４は、図６（ａ）に示したような記憶手段２５に記憶された座標定義情報を参照して、受信手段２２が受信した記入情報に基づいて、複数の透明シート７のそれぞれに対してページ番号を設定する処理（ページ番号設定処理）を実行する。具体的には、処理手段２４は、ユーザが行った電子ペン１によるページ設定エリア７ｂへのタップに対応する記入情報に基づいて、複数の透明シート７に対してページ番号を割り振る処理を行う。また、処理手段２４は、このようなページ番号設定処理の他に、受信手段２２が受信した記入情報に基づいてストロークを表示手段２６に表示させたり、表示手段２６に表示させる画像と同様の画像をプロジェクタ４に投影させるための画像信号を、画像出力手段２７を介してプロジェクタ４に送信させたりするなどの所定の処理を実行する。具体的には、処理手段２４は、プレゼンアプリを起動して表示手段２６に表示させ、プレゼンアプリ上でストロークを表示させる。また、処理手段２４は、電子ペン１から受信した記入情報の中にペンダウン情報ＰＤが含まれることを識別すると、最新のストローク情報をペンＩＤ毎に記憶するための記憶領域を記憶手段２５に設定させる。そして、処理手段２４は、受信した記入情報の中にペンアップ情報ＰＵが含まれることを検出するまで、或いは、受信した記入情報の中に次のペンダウン情報ＰＤが含まれることを検出するまで、受信した記入情報の中に含まれる座標属性情報を最新のストローク情報の一部として記憶手段２５に記憶させる。なお、処理手段２４は、本発明における「ページ番号設定処理手段」、「特定手段」及び「判定手段」等の一例に相当する。
【００９２】
［プリンタ］
プリンタ３は、コンピュータ装置２の処理手段２４による印刷指示（出力命令）を印刷出力手段２８から取得し、当該印刷指示に従って資料６を印刷する。具体的には、プリンタ３は、赤外域に吸収性を持たないインキによって、資料６を印刷する。
【００９３】
［ページ番号設定方法］
次に、第１実施形態におけるページ番号設定方法の概要を、図７を参照して説明する。図７では、透明シート７を左側から順番に「透明シートＡ」、「透明シートＢ」、「透明シートＣ」と表記している。透明シートＡの識別情報は「Ａ」であり、透明シートＢの識別情報は「Ｂ」であり、透明シートＣの識別情報は「Ｃ」であるものとする。ここでは、ユーザが、透明シートＡ、透明シートＢ、透明シートＣの順に、各透明シートＡ〜Ｃのページ設定エリア７ｂに対して電子ペン１でタップしたものとする。
【００９４】
コンピュータ装置２の処理手段２４は、ユーザが行った電子ペン１によるページ設定エリア７ｂへのタップに対応する記入情報に基づいて、透明シートＡ〜Ｃに対してページ番号を割り振る処理を行う。具体的には、処理手段２４は、図６（ａ）に示したような記憶手段２５に記憶された座標定義情報を参照して、電子ペン１から受信した記入情報に基づいて、電子ペン１がタップしたページ設定エリア７ｂを認識し、対応する透明シート７の識別情報を特定する。そして、処理手段２４は、ページ設定エリア７ｂを認識した順に、各ページ設定エリア７ｂが含まれる透明シート７に対してページ番号を割り振る。図７に示す例では、透明シートＡ、Ｂ、Ｃの順に認識されるため、この順にページ番号１、２、３が割り振られる。また、処理手段２４は、このようにページ番号を割り振った際に、割り振ったページ番号を、透明シートＡ、Ｂ、Ｃの識別情報や座標範囲に関連付けて記憶手段２５に記憶させる（図６（ｂ）参照）。なお、基本的には、上記のような電子ペン１によるページ設定エリア７ｂへの記入は、ページ番号設定のためになされたものとして扱われ、当該記入に対応する手書きストロークは表示されない。
【００９５】
なお、図７では、ユーザが透明シートＡ、Ｂ、Ｃの順に電子ペン１でタップを行うことで、この順にページ番号１、２、３が割り振られる例を示したが、このような順にタップを行うことに限定されないことは言うまでもない。例えば、透明シートＣ、Ｂ、Ａの順にタップしても良く、この場合には、透明シートＣ、Ｂ、Ａの順にページ番号１、２、３が割り振られる。また、図７では、説明の便宜上、３枚の透明シート７を図示しているのであって、２枚以下又は４枚以上の透明シート７を用いても良いことは言うまでもない。２枚以下の透明シート７を用いた場合や、４枚以上の透明シート７を用いた場合にも、用いた枚数分のページ番号が割り振られる。
【００９６】
なお、ページ設定エリア７ｂは、透明シート７が資料６の上に重ねられた状態において、資料６に記載された内容（プレゼンアプリの内容）と重なり合わないような端の領域に設けられることが好ましい。例えば、ページ設定エリア７ｂは、複数の透明シート７が穴７ａを用いて綴じられた状態で、複数の透明シート７をめくる際に手前にくる端の領域に設けられる。例えば、透明シート７の左側の端の領域に穴７ａを形成した場合には、ページ設定エリア７ｂは、透明シート７の右側の端の領域に設けることが好ましい。こうすることで、ユーザは、複数の透明シート７が綴じられた状態にしておいて、透明シート７をめくりながら、ページ番号設定のための電子ペン１によるタップを容易に行うことが可能となる。他の好ましい例としては、ページ設定エリア７ｂは、２つの穴７ａの間の位置、換言すると資料６に形成された２つの穴６ａの間に相当する位置に設けられる。通常、印刷物は、穴を形成する側に余白をつけて印刷されるため、２つの穴７ａ（６ａに相当）の間の位置であれば、資料６に記載された内容と重ならないようにすることが容易である。
【００９７】
［処理フロー］
次に、図８を参照して、第１実施形態の情報処理システムによる処理フローについて説明する。図８に示す処理フローは、電子ペン１により記入情報が生成されるごとに繰り返し実行される。また、当該処理フローは、例えばプレゼンアプリの実行時に行われる。
【００９８】
まず、ユーザが、電子ペン１で透明シート７に記入（タップ及びストロークの両方を含む）すると、電子ペン１は、生成した記入情報をコンピュータ装置２へ送信する（ステップＳ１０１）。具体的には、電子ペン１は、ペンダウン時には、ペンダウン情報ＰＤ及びペンＩＤを関連付けた記入情報を生成して、生成した記入情報をコンピュータ装置２へ送信し、ストロークの記入中は、ストロークに沿ってドットパターンを撮像して演算した座標情報を含む座標属性情報とペンＩＤとを関連付けた記入情報を生成してコンピュータ装置２へ送信し、ペンアップ時には、ペンアップ情報ＰＵ及びペンＩＤを関連付けた記入情報を生成してコンピュータ装置２へ送信する。
【００９９】
コンピュータ装置２では、受信手段２２が、電子ペン１から送信された記入情報を受信すると、処理手段２４は、その記入情報を記憶手段２５に記憶させる（ステップＳ２０１）。次に、処理手段２４は、電子ペン１が記入した透明シート７を識別する（ステップＳ２０２）。具体的には、処理手段２４は、図６に示したような記憶手段２５に記憶された座標定義情報を参照して、受信した記入情報に含まれる座標情報に基づいて、電子ペン１が記入した透明シート７と記入したエリアを識別し、さらに、ページ番号が設定済みであればページ番号を認識する。次に、処理手段２４は、電子ペン１が透明シート７に記入したエリアがページ設定エリア７ｂであるか否かを判定する。具体的には、処理手段２４は、ステップＳ２０２で識別した、電子ペン１により記入されたエリアがページ設定エリア７ｂであるか否かを判定する。
【０１００】
電子ペン１により記入されたエリアがページ設定エリア７ｂであると判定した場合（ステップＳ２０３；Ｙｅｓ）、処理手段２４は、ページ番号設定処理を行う（ステップＳ２０４）。具体的には、処理手段２４は、電子ペン１による透明シート７へのタップ回数をカウントし、カウントしたタップ回数の値を、透明シート７に対してページ番号として設定する処理を行う。なお、ページ番号設定処理の詳細については後述する。
【０１０１】
一方、電子ペン１により記入されたエリアがページ設定エリア７ｂでないと判定した場合（ステップＳ２０３；Ｎｏ）、処理手段２４は、電子ペン１が記入した透明シート７がページ番号設定されているか否かを判定する（ステップＳ２０５）。具体的には、処理手段２４は、ステップＳ２０２でページ番号を認識したか否かを判定する。
【０１０２】
電子ペン１が記入した透明シート７がページ番号設定されていないと判定した場合（ステップＳ２０５；Ｎｏ）、処理手段２４は、電子ペン１が記入した透明シート７についてページ番号未設定エラーの処理を行う（ステップＳ２０６）。例えば、処理手段２４は、透明シート７についてページ番号が設定されていないことを示すメッセージを、画像として表示手段２６に表示させたり、音声としてスピーカから出力させたりする。若しくは、処理手段２４は、アラーム音を出力させたりする。
【０１０３】
一方、電子ペン１が記入した透明シート７がページ番号設定されていると判定した場合（ステップＳ２０５；Ｙｅｓ）、処理手段２４は、当該透明シート７に設定されているページ番号のページが現在表示されているか否かを判定する（ステップＳ２０７）。この場合、処理手段２４は、ステップＳ２０２で認識したページ番号と、現在表示されているページ番号とを比較することで、当該判定を行う。
【０１０４】
認識したページ番号のページが表示されていると判定した場合（ステップＳ２０７；Ｙｅｓ）、処理手段２４は、電子ペン１が記入した手書きストロークを表示させる処理（ストローク描画処理）を実行する（ステップＳ２０９）。具体的には、処理手段２４は、以下の手順で、ストローク描画処理を実行する。まず、処理手段２４は、記入情報に含まれる座標属性情報を最新のストローク情報として、記憶手段２５に一時的に記憶させる。このとき既に記憶されている最新ストローク情報があれば、記憶手段２５は、当該座標属性情報を最新ストローク情報の一部として追加して記憶する。続いて、処理手段２４は、ストローク情報に基づいて、手書きストロークを表示させるべき所定の領域に当該手書きストロークを表示する。なお、処理手段２４は、受信した記入情報にペンアップ情報ＰＵあるいはペンダウン情報ＰＤが含まれる場合、一時的に記憶させていた最新ストローク情報を１つのストローク情報として確定して記憶手段２５に記憶させて、続いて受信した記入情報に含まれる座標属性情報を最新のストローク情報として記憶手段２５に一時的に記憶させる。このようなストローク描画処理の後、処理手段２４は、表示されているページのデータに対して、上記したストローク情報などを付加したデータを、記憶手段２５に上書き保存させる（ステップＳ２１０）。
【０１０５】
一方、認識したページが表示されていないと判定した場合（ステップＳ２０７；Ｎｏ）、処理手段２４は、当該認識されたページを表示手段２６に表示させる（ステップＳ２０８）。つまり、処理手段２４は、表示させるページを、現在表示されているページから、ステップＳ２０２で認識したページに切り替える処理を行う。この後、処理手段２４は、上記と同様の手順にて、ステップＳ２０９及びＳ２１０の処理を行う。
【０１０６】
次に、図９を参照して、上記したステップＳ２０４で行われるページ番号設定処理について説明する。図９は、処理手段２４が行うページ番号設定処理を示すフローである。まず、処理手段２４は、電子ペン１によるページ設定エリア７ｂへのタップ回数のカウンタ（以下、適宜「タップ回数カウンタ」と呼ぶ。）をインクリメントする（ステップＳ２０４ａ１）。次に、処理手段２４は、電子ペン１が記入した透明シート７に対して、ステップＳ２０４ａ１でインクリメントしたタップ回数カウンタの値をページ番号として付与する（ステップＳ２０４ａ２）。具体的には、処理手段２４は、付与するページ番号を、当該透明シート７の識別情報や座標範囲に関連付けて座標定義情報を更新して記憶手段２５に記憶させる（図６（ｂ）参照）。
【０１０７】
次に、図１０を参照して、図９に示したページ番号設定処理の他の例を説明する。図１０は、他の例に係るページ番号設定処理を示すフローである。当該ページ番号設定処理も、上記したステップＳ２０４で行われる。まず、処理手段２４は、電子ペン１が記入した透明シート７がページ番号設定されているか否かを判定する（ステップＳ２０４ｂ１）。具体的には、処理手段２４は、ステップＳ２０２でページ番号を認識したか否かを判定する。
【０１０８】
電子ペン１が記入した透明シート７がページ番号設定されていないと判定した場合（ステップＳ２０４ｂ１；Ｎｏ）、処理手段２４は、図９に示したステップＳ２０４ａ１及びＳ２０４ａ２と同様の手順で、当該透明シート７に対してページ番号を付与して、座標定義情報を更新して記憶手段２５に記憶させる（ステップＳ２０４ｂ３、Ｓ２０４ｂ４）。一方で、電子ペン１が記入した透明シート７がページ番号設定されていると判定した場合（ステップＳ２０４ｂ１；Ｙｅｓ）、処理手段２４は、当該透明シート７に対してページ番号を付与せずに、電子ペン１が記入した透明シート７についてページ番号が設定既みである旨を報知させる（ステップＳ２０４ｂ２）。例えば、処理手段２４は、透明シート７について既にページ番号が設定されていることを示すメッセージを、画像として表示手段２６に表示させたり、音声としてスピーカから出力させたりする。若しくは、処理手段２４は、アラーム音を出力させたりする。なお、上記のようにページ番号が設定既みである旨を報知しなくても良い。つまり、ステップＳ２０４ｂ２の処理を行わなくても良い。
【０１０９】
図１０に示す処理フローによれば、ユーザが同じ透明シート７のページ設定エリア７ｂに複数回タップした場合に、設定されるページ番号が上書きされてしまうことを適切に抑制することができる。
【０１１０】
なお、処理手段２４は、上記のようにしてページ番号を付与した際に、ページ番号設定した旨を表示手段２６に表示させたり、付与したページ番号を表示手段２６に表示させたりすることができる。このような表示は、以下で説明する実施形態にも同様に適用されるものとする。
【０１１１】
なお、コンピュータ装置２の処理手段２４は、プレゼンアプリの起動時及び終了時のうちの少なくともいずれかの時点で、設定しているページ番号をリセットすることができる。具体的には、処理手段２４は、プレゼンアプリの起動時及び／又は終了時に、タップ回数カウンタを「０」に設定する処理を行うことができると共に、プレゼンアプリの起動時及び／又は終了時に、記憶手段２５に記憶された座標定義情報に含まれるページ番号を消去する処理を行うことができる。また、他の例では、処理手段２４は、プレゼンアプリの起動時及び終了時のうちの少なくともいずれかの時点で、設定しているページ番号をリセットするか否かの判断をユーザに求めることができる。この例では、処理手段２４は、プレゼンアプリの起動時及び／又は終了時に、設定しているページ番号をリセットするか否の判断をユーザに求めるためのメッセージ画面などを表示させることで、ユーザの判断を取得することができる。更に他の例では、設定しているページ番号をリセットするためのメニューをプレゼンアプリに設けておくことができる。この例では、プレゼンアプリの実行中、ユーザの判断でいつでもページ番号のリセットを行うことができる。
【０１１２】
［第１実施形態による作用効果］
以上説明した第１実施形態によれば、透明シート７に形成されたページ設定エリア７ｂに電子ペン１でタップするといった簡便な作業で、複数の透明シート７に対するページ番号の設定を適切に実現することができる。これにより、複数の透明シート７を、プレゼンアプリの内容が印刷された資料６とページ番号を合わせて容易に対応付けることが可能となる。
【０１１３】
また、このようにページ番号設定された複数の透明シート７を用いることで、簡便に、電子ペン１による手書きストロークをプレゼンアプリ上に表示させることができる。具体的には、ユーザは、対応する透明シート７と資料６とを交互に重ねて綴じる作業を行うだけで、綴じられた状態にある複数の透明シート７及び資料６を用いて、プレゼンテーションの実行中に手書きストロークをプレゼンアプリ上に適切に表示させることができる。
【０１１４】
＜第２実施形態＞
次に、本発明に係る第２実施形態について説明する。第１実施形態では、ページ設定エリア７ｂが設けられた透明シート７を用いていたが、第２実施形態では、このような透明シート７を用いる代わりに、ページ設定エリア７ｂが設けられていない透明シートを用いると共に、ページ番号設定処理の開始と終了とを切り替えるためのページ設定シートを用いる。具体的には、第２実施形態では、透明シートとは別に、ページ番号設定を開始するための開始エリアと、ページ番号設定を終了するための終了エリアとが設けられたページ設定シートを用いる。
【０１１５】
なお、以下では、第１実施形態で示した符号と同一の符号を付した構成要素などについては同様の意味を有するものとして、その詳細な説明を省略する。また、特に説明しない構成要素や処理などについては、第１実施形態と同様であるものとする。
【０１１６】
［情報処理システムの構成］
図１１は、第２実施形態に係る情報処理システムの構成を示す。第２実施形態に係る情報処理システムも、第１実施形態に係る情報処理システムと同様に、電子ペン１、コンピュータ装置２、プリンタ３、プロジェクタ４、及びスクリーン５を有する。しかしながら、第２実施形態に係る情報処理システムは、第１実施形態に係る情報処理システムと異なり、シートセット３０の代わりにシートセット３１を有する。
【０１１７】
シートセット３１は、下に重ねられた資料６に記載された内容が透けて視認されるように構成された複数の透明シート８と、ページ番号設定処理の開始と終了とを切り替えるためのページ設定シート１２とを有する。透明シート８は、第１実施形態で示した透明シート７のようにはページ設定エリア７ｂが設けられていない。それ以外の点は、透明シート７と同様である。
【０１１８】
ページ設定シート１２には、ユニークなドットパターンが形成されていると共に、ページ番号設定を開始するための開始エリア１２ａと、ページ番号設定を終了するための終了エリア１２ｂとが設けられている。開始エリア１２ａ及び終了エリア１２ｂは、それぞれ、ページ設定シート１２においてドットパターンが形成された領域の一部の領域に対応し、ページ設定シート１２における所定の領域に印刷された枠（赤外域に吸収性を持たないインキによって印刷されている）によって、ユーザに認識される。また、ページ設定シート１２においては、「開始エリア」及び「終了エリア」を示す文字が、それぞれ、開始エリア１２ａ及び終了エリア１２ｂの近傍に、赤外域に吸収性を持たないインキによって印刷されている。なお、図１１に示すようにページ設定シート１２の全体にドットパターンを形成することに限定はされず、開始エリア１２ａ及び終了エリア１２ｂの領域にのみドットパターンを形成しても良い。
【０１１９】
第２実施形態では、このようなページ設定シート１２を利用して、複数の透明シート８に対してページ番号が設定される。具体的には、ユーザがページ設定シート１２の開始エリア１２ａに電子ペン１でタップした場合に、コンピュータ装置２がページ番号設定処理を開始し、ユーザがページ設定シート１２の終了エリア１２ｂに電子ペン１でタップした場合に、コンピュータ装置２がページ番号設定処理を終了する。このページ番号設定処理は、第１実施形態と概ね同様である。なお、ページ番号設定処理後にユーザが行う手順やコンピュータ装置２が行う処理などは、第１実施形態と同様である。
【０１２０】
［座標定義情報］
次に、図１２を参照して、第２実施形態に係る透明シート８及びページ設定シート１２に関する座標定義情報のデータ構造について説明する。なお、図１２に示す座標定義情報は、コンピュータ装置２の記憶手段２５が記憶しているものとする。図１２（ａ）は、ページ設定シート１２の座標定義情報のデータ構造を示している。ページ設定シート１２の座標定義情報においては、ページ設定シート１２の識別情報と、ページ設定シート１２に形成されたドットパターンの座標範囲と、ページ設定シート１２の開始エリア１２ａに形成されたドットパターンの座標範囲と、ページ設定シート１２の終了エリア１２ｂに形成されたドットパターンの座標範囲とが対応付けられている。
【０１２１】
図１２（ｂ）及び図１２（ｃ）は、透明シート８における座標定義情報のデータ構造を示している。透明シート８における座標定義情報として、透明シート８の識別情報と、透明シート８のページ番号と、透明シート８に形成されたドットパターンの座標範囲とが対応付けられている。また、図１２（ｂ）は、透明シート８に対してページ番号が設定される前の座標定義情報を示しており、ページ番号の情報がブランクとなっている。図１２（ｃ）は、透明シート８に対してページ番号が設定された後の座標定義情報を示している。図１２（ｃ）に示すように、ページ番号が設定された後は、座標定義情報には、設定されたページ番号の情報が含まれている。ここでは、識別情報が「Ａ」である透明シート８に対してページ番号「ｐ．１」が割り振られ、識別情報が「Ｂ」である透明シート８に対してページ番号「ｐ．２」が割り振られ、識別情報が「Ｃ」である透明シート８に対してページ番号「ｐ．３」が割り振られた例を示している。
【０１２２】
［ページ番号設定方法］
次に、第２実施形態におけるページ番号設定方法の概要を、図１３を参照して説明する。図１３では、透明シート８を左側から順番に「透明シートＡ」、「透明シートＢ」、「透明シートＣ」と表記している。透明シートＡの識別情報は「Ａ」であり、透明シートＢの識別情報は「Ｂ」であり、透明シートＣの識別情報は「Ｃ」であるものとする。
【０１２３】
第２実施形態では、ユーザがページ設定シート１２の開始エリア１２ａに対して電子ペン１でタップしたことによる記入情報を、コンピュータ装置２の受信手段２２が受信すると、処理手段２４がページ番号設定処理を開始する。この場合、処理手段２４は、図１２に示したような記憶手段２５に記憶された座標定義情報を参照して、電子ペン１から受信した記入情報に基づいて、電子ペン１がページ設定シート１２の開始エリア１２ａにタップしたことを認識する。そして、処理手段２４は、この後に電子ペン１から受信する記入情報に基づいてページ番号設定処理を行う。
【０１２４】
ここでは、ユーザが、電子ペン１でページ設定シート１２の開始エリア１２ａにタップした後に、透明シートＡ、透明シートＢ、透明シートＣの順に、電子ペン１でタップしたものとする。なお、第２実施形態では、ページ設定シート１２を用いるため、ユーザがページ番号設定するために電子ペン１でタップする透明シート８上の位置は、どこでも良い。つまり、第１実施形態で示したページ設定エリア７ｂのような特定の位置に電子ペン１でタップする必要はない。
【０１２５】
処理手段２４は、ユーザが電子ペン１で開始エリア１２ａにタップした後に、ユーザが行った電子ペン１による透明シート８へのタップに対応する記入情報に基づいて、透明シートＡ〜Ｃに対してページ番号を割り振る処理を行う。具体的には、処理手段２４は、図１２（ｂ）に示したような記憶手段２５に記憶された座標定義情報を参照して、電子ペン１から受信した記入情報に基づいて、電子ペン１によってタップされた透明シート８を認識し、透明シート８を認識した順にページ番号を割り振る。図１３に示す例では、透明シートＡ、Ｂ、Ｃの順に認識されるため、この順にページ番号１、２、３が割り振られる。また、処理手段２４は、このようにページ番号を割り振った際に、割り振ったページ番号を、透明シートＡ、Ｂ、Ｃの識別情報や座標範囲に関連付けて記憶手段２５に記憶させる（図１２（ｃ）参照）。なお、基本的には、ユーザが電子ペン１で開始エリア１２ａにタップすることでページ番号設定が開始された後は、つまりページ番号設定中においては、上記のような電子ペン１による透明シート８への記入は、ページ番号設定のためになされたものとして扱われ、当該記入に対応する手書きストロークは表示されない。
【０１２６】
この後、ユーザが電子ペン１で終了エリア１２ｂにタップしたことによる記入情報を受信手段２２が受信すると、処理手段２４はページ番号設定処理を終了する。この場合、処理手段２４は、図１２に示したような記憶手段２５に記憶された座標定義情報を参照して、電子ペン１から受信した記入情報に基づいて、電子ペン１がページ設定シート１２の終了エリア１２ｂにタップしたことを認識する。そして、処理手段２４は、この後に電子ペン１から受信する記入情報に基づいて、ストローク描画処理を実行する。
【０１２７】
なお、図１３では、ユーザが透明シートＡ、Ｂ、Ｃの順に電子ペン１でタップを行うことで、この順にページ番号１、２、３が割り振られる例を示したが、このような順にタップを行うことに限定されないことは言うまでもない。例えば、透明シートＣ、Ｂ、Ａの順にタップしても良く、この場合には、透明シートＣ、Ｂ、Ａの順にページ番号１、２、３が割り振られる。また、図１２（ｂ）、図１２（ｃ）及び図１３では、説明の便宜上、３枚の透明シート８を示しているのであって、２枚以下又は４枚以上の透明シート８を用いても良いことは言うまでもない。２枚以下の透明シート８を用いた場合や、４枚以上の透明シート８を用いた場合にも、用いた枚数分のページ番号が割り振られる。
【０１２８】
［処理フロー］
次に、図１４を参照して、第２実施形態の情報処理システムによる処理フローについて説明する。図１４に示す処理フローは、電子ペン１により記入情報が生成されるごとに繰り返し実行される。また、当該処理フローは、例えばプレゼンアプリの実行時に行われる。なお、以下では、図８に示した処理フローと同様の処理については、その説明を適宜省略するものとする。
【０１２９】
ステップＳ１０１、Ｓ３０１の処理は、それぞれ、図８に示したステップＳ１０１、Ｓ２０１の処理と同様であるため、その説明を省略する。ステップＳ３０２では、コンピュータ装置２の処理手段２４は、電子ペン１が記入したシート（透明シート８及びページ設定シート１２の両方を含む）を識別する。具体的には、処理手段２４は、図１２に示したような記憶手段２５に記憶された座標定義情報を参照して、受信した記入情報に含まれる座標情報に基づいて、電子ペン１が記入したシートと記入したエリアを識別する。この場合、処理手段２４は、電子ペン１が記入したシートがページ設定シート１２及び複数の透明シート８のいずれかを認識すると共に、電子ペン１が記入したシートが透明シート８であると認識した場合には、透明シート８に設定されているページ番号またはページ番号が未設定であることを特定する。
【０１３０】
次に、処理手段２４は、ステップＳ２０２で識別した、電子ペン１により記入されたエリアがページ設定シート１２の開始エリア１２ａであるか否かを判定する（ステップＳ３０３）。
【０１３１】
電子ペン１により記入されたエリアが開始エリア１２ａであると判定した場合（ステップＳ３０３；Ｙｅｓ）、処理手段２４は、ページ番号設定中であるか否かを示すフラグ（以下、「ページ番号設定中フラグ」と呼ぶ。）をオンにする（ステップＳ３０４）。加えて、処理手段２４は、ページ番号設定中であることを示すメッセージを表示手段２６に表示させる（ステップＳ３０５）。
【０１３２】
一方、電子ペン１により記入されたエリアが開始エリア１２ａでないと判定した場合（ステップＳ３０３；Ｎｏ）、処理手段２４は、電子ペン１により記入されたエリアがページ設定シート１２の終了エリア１２ｂであるか否かを判定する（ステップＳ３０６）。具体的には、処理手段２４は、ステップＳ３０２でページ設定シート１２の終了エリア１２ｂを認識したか否かを判定する。
【０１３３】
電子ペン１により記入されたエリアが終了エリア１２ｂであると判定した場合（ステップＳ３０６；Ｙｅｓ）、処理手段２４は、ページ番号設定中フラグをオフにする（ステップＳ３０７）。加えて、処理手段２４は、ページ番号設定中であることを示すメッセージを非表示にする（ステップＳ３０８）。
【０１３４】
一方、電子ペン１により記入されたエリアが終了エリア１２ｂでないと判定した場合（ステップＳ３０６；Ｎｏ）、処理手段２４は、現在ページ番号設定中であるか否かを判定する（ステップＳ３０９）。この場合、処理手段２４は、ページ番号設定中フラグがオンであるか否かを判定する。
【０１３５】
ページ番号設定中であると判定した場合（ステップＳ３０９；Ｙｅｓ）、処理手段２４は、ページ番号設定処理を行う（ステップＳ３１０）。具体的には、処理手段２４は、図９に示したページ番号設定処理、又は図１０に示したページ番号設定処理を実行する。一方、ページ番号設定中でないと判定した場合（ステップＳ３０９；Ｎｏ）、処理はステップＳ３１１に進む。ステップＳ３１１〜Ｓ３１６の処理は、それぞれ、図８に示したステップＳ２０５〜Ｓ２１０の処理と同様であるため、その説明を省略する。
【０１３６】
なお、上記では、ページ番号設定中フラグがオンであるかオフであるかによって、ページ番号設定中であることを示すメッセージの表示と非表示とを切り替える例を示したが（ステップＳ３０５及びＳ３０８参照）、これに限定はされない。他の例では、ページ番号設定中フラグがオンであるかオフであるかによって、ページ番号設定中であることを示すメッセージの表示態様を変えることとしても良い。例えば、ページ番号設定中であることを示すメッセージの色を変化させたり、ページ番号設定中フラグがオフである場合に当該メッセージをグレーアウトによって表示させたりすることができる。また、更に他の例では、ページ番号設定中であることを示すメッセージなどを表示しないこととしても良い。つまり、ステップＳ３０５及びＳ３０８の処理を行わないこととしても良い。このようなページ番号設定に関する表示例は、以下で説明する第２実施形態の変形例１にも同様に適用されるものとする。
【０１３７】
なお、コンピュータ装置２の処理手段２４は、プレゼンアプリの起動時及び終了時のうちの少なくともいずれかの時点で、設定しているページ番号をリセットすることができる。具体的には、処理手段２４は、プレゼンアプリの起動時及び／又は終了時に、タップ回数カウンタを「０」に設定する処理を行うことができると共に、プレゼンアプリの起動時及び／又は終了時に、記憶手段２５に記憶された座標定義情報に含まれるページ番号を消去する処理を行うことができる。また、他の例では、処理手段２４は、プレゼンアプリの起動時及び終了時のうちの少なくともいずれかの時点で、設定しているページ番号をリセットするか否かの判断をユーザに求めることができる。この例では、処理手段２４は、プレゼンアプリの起動時及び／又は終了時に、設定しているページ番号をリセットするか否の判断をユーザに求めるためのメッセージ画面などを表示させることで、ユーザの判断を取得することができる。更に他の例では、設定しているページ番号をリセットするためのメニューをプレゼンアプリに設けておくことができる。この例では、プレゼンアプリの実行中、ユーザの判断でいつでもページ番号のリセットを行うことができる。このようなページ番号のリセットに関する例は、以下で説明する第２実施形態の変形例１及び変形例３にも同様に適用されるものとする。
【０１３８】
［第２実施形態による作用効果］
以上説明した第２実施形態によれば、ユーザは、ページ設定シート１２を利用することで、自らの判断で、ページ番号設定処理を開始させたり終了させたりすることができる。また、透明シート８にはページ設定エリアが設けられていないため、電子ペン１による透明シート８への記入中、処理手段２４が、不必要にページ番号設定処理を実行することがない。これにより、ページ番号設定を的確に行うことが可能となる。例えば、ユーザがプレゼンアプリ上に表示させるために行った電子ペン１による記入が、ページ番号設定に用いられてしまうことなどを適切に抑制することができる。
【０１３９】
［第２実施形態の変形例１］
次に、第２実施形態の変形例１について説明する。上記した第２実施形態では、開始エリア１２ａと終了エリア１２ｂとが別々のエリアに形成されたページ設定シート１２を用いていたが、第２実施形態の変形例１では、このようなページ設定シート１２の代わりに、開始エリアと終了エリアとを兼ねる開始／終了エリアが形成されたページ設定シートを用いる。言い換えると、本変形例１では、ページ番号設定処理の開始と終了とを切り替え可能に構成された開始／終了エリアが設けられたページ設定シートを用いる。
【０１４０】
なお、以下では、第２実施形態で示した符号と同一の符号を付した構成要素などについては同様の意味を有するものとして、その詳細な説明を省略する。また、特に説明しない構成要素や処理などについては、第２実施形態と同様であるものとする。
【０１４１】
図１５は、第２実施形態の変形例１に係るページ設定シート１３を示す。本変形例１では、シートセットは、上記した複数の透明シート８とページ設定シート１３とを有する。つまり、本変形例１に係るシートセットは、開始エリア１２ａと終了エリア１２ｂとが形成されたページ設定シート１２の代わりに、開始／終了エリア１３ａが形成されたページ設定シート１３を有する点で、第２実施形態に係るシートセット３１と異なる。
【０１４２】
ページ設定シート１３には、他のシートとは座標範囲の異なるユニークなドットパターンが形成されていると共に、ページ番号設定処理の開始と終了とを切り替えるための開始／終了エリア１３ａが設けられている。開始／終了エリア１３ａは、ページ設定シート１３においてドットパターンが形成された領域の一部の領域に対応し、ページ設定シート１３における所定の領域に印刷された枠（赤外域に吸収性を持たないインキによって印刷されている）によって、ユーザに認識される。なお、図１５に示すようにページ設定シート１３の全体にドットパターンを形成することに限定はされず、開始／終了エリア１３ａの領域にのみドットパターンを形成しても良い。
【０１４３】
本変形例１では、このようなページ設定シート１３を利用して、複数の透明シート８に対してページ番号が設定される。具体的には、ページ番号設定中でないときにユーザが開始／終了エリア１３ａに電子ペン１でタップすることで、コンピュータ装置２は、ページ番号設定中フラグをオフからオンに切り替えてページ番号設定処理を開始する。これに対して、ページ番号設定中にユーザが開始／終了エリア１３ａに電子ペン１でタップすることで、コンピュータ装置２は、ページ番号設定中フラグをオンからオフに切り替えてページ番号設定処理を終了する。
【０１４４】
図１６は、第２実施形態の変形例１に係る座標定義情報のデータ構造を示す。なお、図１６に示す座標定義情報は、コンピュータ装置２の記憶手段２５が記憶しているものとする。図１６（ａ）は、ページ設定シート１３の座標定義情報のデータ構造を示している。ページ設定シート１３の座標定義情報においては、ページ設定シート１３の識別情報と、ページ設定シート１３に形成されたドットパターンの座標範囲と、ページ設定シート１３の開始／終了エリア１３ａに形成されたドットパターンの座標範囲とが対応付けられている。図１６（ｂ）及び図１６（ｃ）は、透明シート８における座標定義情報のデータ構造を示している。その内容は、図１２（ｂ）及び図１２（ｃ）と同様である。なお、図１６（ｂ）及び図１６（ｃ）では、説明の便宜上、３枚の透明シート８を示しているのであって、２枚以下又は４枚以上の透明シート８を用いても良いことは言うまでもない。
【０１４５】
図１７は、第２実施形態の変形例１に係る処理フローを示す。図１７に示す処理フローは、電子ペン１により記入情報が生成されるごとに繰り返し実行される。また、当該処理フローは、例えばプレゼンアプリの実行時に行われる。なお、以下では、図１４に示した処理フローと同様の処理については、その説明を適宜省略するものとする。
【０１４６】
ステップＳ１０１、Ｓ４０１〜Ｓ４０２の処理は、それぞれ、図１４に示したステップＳ１０１、Ｓ３０１〜Ｓ３０２の処理と同様であるため、その説明を省略する。ステップＳ４０３では、処理手段２４は、ステップＳ４０２で識別した、電子ペン１により記入されたエリアがページ設定シート１３の開始／終了エリア１３ａであるか否かを判定する。
【０１４７】
電子ペン１により記入されたエリアが開始／終了エリア１３ａであると判定した場合（ステップＳ４０３；Ｙｅｓ）、処理手段２４は、ページ番号設定中フラグのオンとオフとを切り替える（ステップＳ４０４）。具体的には、処理手段２４は、ページ番号設定中フラグがオンである場合にはオフに切り替え、ページ番号設定中フラグがオフである場合にはオンに切り替える。そして、処理手段２４は、ページ番号設定中であることを示すメッセージの表示と非表示とを切り替える（ステップＳ４０５）。
【０１４８】
電子ペン１により記入されたエリアが開始／終了エリア１３ａでないと判定した場合（ステップＳ４０３；Ｎｏ）、処理はステップＳ４０６に進む。ステップＳ４０６〜Ｓ４１３の処理は、それぞれ、図１４に示したステップＳ３０９〜Ｓ３１６の処理と同様であるため、その説明を省略する。
【０１４９】
なお、ページ番号設定中フラグは、電子ペン１による記入の開始時に、オフに設定されていることが望ましい。例えば、プレゼンアプリの起動時に、ページ番号設定中フラグがオフに設定されていることが望ましい。これにより、プレゼンアプリの起動後において、ユーザが電子ペン１で開始／終了エリア１３ａに１回目にタップした際に、適切にページ番号設定を開始させることができる。なお、プレゼンアプリの起動時に、ページ番号設定中フラグをオンに設定しておいても構わない。この場合には、プレゼンアプリの起動時に、ページ番号設定が自動的に開始されることとなる。
【０１５０】
以上説明した第２実施形態の変形例１によれば、ページ番号設定処理の開始と終了とを切り替える開始／終了エリア１３ａが設けられたページ設定シート１３を用いることで、開始エリア１２ａと終了エリア１２ｂとが別々のエリアに形成されたページ設定シート１２を用いる第２実施形態と比較して、ユーザがエリアを区別してタップする必要がなく、また、使用するドットパターンの領域を削減することができる。
【０１５１】
［第２実施形態の変形例２］
次に、第２実施形態の変形例２について説明する。第２実施形態の変形例２では、上記したページ設定シート１２、１３の代わりに、透明シート８に設定されたページ番号をリセット可能に構成されたリセットシートを用いる点で、第２実施形態及び第２実施形態の変形例１と異なる。また、第２実施形態及び第２実施形態の変形例１では、ページ番号設定中フラグがオンである場合（つまり電子ペン１により開始エリア１２ａ又は開始／終了エリア１３ａがタップされた後）にページ番号設定処理を行っていたが、第２実施形態の変形例２では、電子ペン１が記入した透明シート８についてページ番号が未だ設定されていない場合にページ番号設定処理を行う。
【０１５２】
なお、以下では、第２実施形態（変形例１も含む）で示した符号と同一の符号を付した構成要素などについては同様の意味を有するものとして、その詳細な説明を省略する。また、特に説明しない構成要素や処理などについては、第２実施形態（変形例１も含む）と同様であるものとする。
【０１５３】
図１８は、第２実施形態の変形例２に係るリセットシート１４を示す。本変形例２では、シートセットは、上記した複数の透明シート８とリセットシート１４とを有する。つまり、本変形例２に係るシートセットは、ページ設定シート１２、１３の代わりにリセットシート１４を有する点で、第２実施形態に係るシートセット３１及び第２実施形態の変形例１に係るシートセットと異なる。
【０１５４】
リセットシート１４には、他のシートとは座標範囲の異なるユニークなドットパターンが形成されていると共に、透明シート８に設定されたページ番号をリセットするためのリセットエリア１４ａが設けられている。リセットエリア１４ａは、リセットシート１４においてドットパターンが形成された領域の一部の領域に対応し、リセットシート１４における所定の領域に印刷された枠（赤外域に吸収性を持たないインキによって印刷されている）によって、ユーザに認識される。なお、図１８に示すようにリセットシート１４の全体にドットパターンを形成することに限定はされず、リセットエリア１４ａの領域にのみドットパターンを形成しても良い。
【０１５５】
本変形例２では、このようなリセットシート１４を利用して、ページ番号が設定された複数の透明シート８に対して、一括してページ番号を解除する。具体的には、コンピュータ装置２は、ユーザがリセットエリア１４ａに電子ペン１でタップした場合に、透明シート８に設定されたページ番号をリセットする。また、コンピュータ装置２は、電子ペン１が記入した透明シート８についてページ番号が未だ設定されていない場合に、ページ番号設定処理を行う。
【０１５６】
図１９は、第２実施形態の変形例２に係る座標定義情報のデータ構造を示す。なお、図１９に示す座標定義情報は、コンピュータ装置２の記憶手段２５が記憶しているものとする。図１９（ａ）は、リセットシート１４の座標定義情報のデータ構造を示している。リセットシート１４の座標定義情報においては、リセットシート１４の識別情報と、リセットシート１４に形成されたドットパターンの座標範囲と、リセットシート１４のリセットエリア１４ａに形成されたドットパターンの座標範囲とが対応付けられている。図１９（ｂ）及び図１９（ｃ）は、透明シート８における座標定義情報のデータ構造を示している。その内容は、図１２（ｂ）及び図１２（ｃ）と同様である。なお、図１９（ｂ）及び図１９（ｃ）では、説明の便宜上、３枚の透明シート８を示しているのであって、２枚以下又は４枚以上の透明シート８を用いても良いことは言うまでもない。
【０１５７】
図２０は、第２実施形態の変形例２に係る処理フローを示す。図２０に示す処理フローは、電子ペン１により記入情報が生成されるごとに繰り返し実行される。また、当該処理フローは、例えばプレゼンアプリの実行時に行われる。なお、以下では、図１４に示した処理フローと同様の処理については、その説明を適宜省略するものとする。
【０１５８】
ステップＳ１０１、Ｓ５０１〜Ｓ５０２の処理は、それぞれ、図１４に示したステップＳ１０１、Ｓ３０１〜Ｓ３０２の処理と同様であるため、その説明を省略する。ステップＳ５０３では、処理手段２４は、ステップＳ５０２で識別した、電子ペン１により記入されたエリアがリセットシート１４のリセットエリア１４ａであるか否かを判定する。
【０１５９】
電子ペン１により記入されたエリアがリセットエリア１４ａであると判定した場合（ステップＳ５０３；Ｙｅｓ）、処理手段２４は、設定されているページ番号をリセットする（ステップＳ５０４）。具体的には、処理手段２４は、記憶手段２５に記憶された座標定義情報に含まれる全てのページ番号の情報を消去すると共に、タップ回数カウンタを「０」に設定する。
【０１６０】
一方、電子ペン１により記入されたエリアがリセットエリア１４ａでないと判定した場合（ステップＳ５０３；Ｎｏ）、処理手段２４は、電子ペン１が記入した透明シート８がページ番号設定されているか否かを判定する（ステップＳ５０５）。
【０１６１】
電子ペン１が記入した透明シート８がページ番号設定されていないと判定した場合（ステップＳ５０５；Ｎｏ）、処理手段２４は、ページ番号設定処理を行う（ステップＳ５０６）。上記した第１実施形態、第２実施形態、及び第２実施形態の変形例１では、電子ペン１が記入した透明シート７、８がページ番号設定されていない場合に、ページ番号未設定エラーの処理を行っていたが、本変形例２では、この代わりに、ページ番号設定処理を行う。具体的には、処理手段２４は、図９に示したページ番号設定処理を実行する。なお、図１０に示したページ番号設定処理を適用しないのは、本変形例２では、電子ペン１が記入した透明シート８がページ番号設定されていない場合にステップＳ５０６に進んでページ番号設定処理を行うので、図１０に示したステップＳ２０４ｂ１のページ番号設定されているか否かの判断処理は必要ないためである。
【０１６２】
一方、電子ペン１が記入した透明シート８がページ番号設定されていると判定した場合（ステップＳ５０５；Ｎｏ）、処理はステップＳ５０７に進む。ステップＳ５０７〜Ｓ５１０の処理は、それぞれ、図１４に示したステップＳ３１３〜Ｓ３１６の処理と同様であるため、その説明を省略する。
【０１６３】
なお、ステップＳ５０７において、処理手段２４は、ページ番号設定されていない透明シート８への電子ペン１による記入も表示させることができる。つまり、処理手段２４は、ユーザがページ番号設定するために行った透明シート８への記入も表示させることができる。具体的には、処理手段２４は、ユーザがページ番号設定するために透明シート８にストロークを記入した場合に、ページ番号設定処理に用いたストロークにさかのぼって、一つながりのストロークとして表示させる。この場合、処理手段２４は、電子ペン１による記入が同じストローク内で連続したものであれば、そのストロークを表示させ、電子ペン１による記入が連続していないストロークであれば、最初のストロークについては表示させない。当該最初のストロークは、単にページ番号設定するためだけに記入されたもの（例えばタップ）と判断できるからである。このようなステップＳ５０７の処理は、以下で説明する第２実施形態の変形例３にも同様に適用されるものとする。
【０１６４】
なお、上記したようなリセットシート１４によるページ番号のリセットとは別に、第２実施形態で述べたように、プレゼンアプリの起動時及び／又は終了時にページ番号をリセットしても良いし、プレゼンアプリの起動時及び／又は終了時にページ番号をリセットするか否かの判断をユーザに求めても良いし、ページ番号をリセットするためのメニューをプレゼンアプリに設けても良い。
【０１６５】
以上説明した第２実施形態の変形例２によれば、ユーザは、リセットシート１４を用いることで、透明シート８に設定されたページ番号を自由にリセットすることができる。
【０１６６】
［第２実施形態の変形例３］
次に、第２実施形態の変形例３について説明する。第２実施形態の変形例３は、上記した第２実施形態及び第２実施形態の変形例１、２と異なり、ページ設定シート１２、１３やリセットシート１４を用いない。具体的には、第２実施形態の変形例３では、シートセットは、複数の透明シート８のみを有する。また、第２実施形態の変形例３では、電子ペン１が記入した透明シート８についてページ番号が未だ設定されていない場合に、ページ番号設定処理を行う。この点については、第２実施形態の変形例２と同様である。
【０１６７】
なお、以下では、第２実施形態（変形例１、２も含む）で示した符号と同一の符号を付した構成要素などについては同様の意味を有するものとして、その詳細な説明を省略する。また、特に説明しない構成要素や処理などについては、第２実施形態（変形例１、２も含む）と同様であるものとする。
【０１６８】
図２１は、第２実施形態の変形例３に係る処理フローを示す。図２１に示す処理フローは、電子ペン１により記入情報が生成されるごとに繰り返し実行される。また、当該処理フローは、例えばプレゼンアプリの実行時に行われる。なお、以下では、図２０に示した処理フローと同様の処理については、その説明を適宜省略するものとする。
【０１６９】
ステップＳ１０１、Ｓ６０１の処理は、それぞれ、図２０に示したステップＳ１０１、Ｓ５０１の処理と同様であるため、その説明を省略する。ステップＳ６０２では、処理手段２４は、電子ペン１が記入した透明シート８を識別する。本変形例３では、リセットシート１４などを用いていないため、シートセットは複数の透明シート８のみからなるので、処理手段２４は、複数の透明シート８の中から、電子ペン１が記入した透明シート８を特定する。
【０１７０】
この後、処理はステップＳ６０３に進む。ステップＳ６０３〜Ｓ６０８の処理は、それぞれ、図２０に示したステップＳ５０５〜Ｓ５１０の処理と同様であるため、その説明を省略する。なお、本変形例３では、リセットシート１４などを用いていないため、第２実施形態の変形例２のように、電子ペン１がリセットシート１４のリセットエリア１４ａに記入したか否かの判定（ステップＳ５０３）や、ページ番号をリセットする処理（ステップＳ５０４）は行われない。
【０１７１】
以上説明した第２実施形態の変形例３によれば、第２実施形態及び第２実施形態の変形例１、２で示したようなページ設定シート１２、１３やリセットシート１４を用いないため、情報処理システムを簡便に実現することが可能となる。
【０１７２】
＜第３実施形態＞
次に、本発明に係る第３実施形態について説明する。第３実施形態では、上記した第２実施形態及び第２実施形態の変形例１、２と異なり、ページ設定シート１２、１３やリセットシート１４を用いない。つまり、第３実施形態では、シートセットは複数の透明シートのみを有する。この点については、第１実施形態と同様である。しかしながら、第１実施形態では、ページ設定エリア７ｂが設けられた透明シート７を用いていたが、第３実施形態では、このような透明シート７を用いる代わりに、透明シートに対して設定するページ番号を選択するためのページ選択エリアが設けられた透明シートを用いる。
【０１７３】
なお、以下では、第１実施形態で示した符号と同一の符号を付した構成要素などについては同様の意味を有するものとして、その詳細な説明を省略する。また、特に説明しない構成要素や処理などについては、第１実施形態と同様であるものとする。
【０１７４】
［情報処理システムの構成］
図２２は、第３実施形態に係る情報処理システムの構成を示す。第３実施形態に係る情報処理システムも、第１実施形態に係る情報処理システムと同様に、電子ペン１、コンピュータ装置２、プリンタ３、プロジェクタ４、及びスクリーン５を有する。しかしながら、第３実施形態に係る情報処理システムは、第１実施形態に係る情報処理システムと異なり、シートセット３０の代わりにシートセット３２を有する。
【０１７５】
シートセット３２は、下に重ねられた資料６に記載された内容が透けて視認されるように構成された複数の透明シート９を有する。第１実施形態で示した透明シート７にはページ設定エリア７ｂが設けられていたが、第３実施形態に係る透明シート９には、ページ設定エリア７ｂの代わりに、透明シート９に対して設定するページ番号を選択するためのページ選択エリア９ｂが設けられている。それ以外の点は、透明シート７と同様である。
【０１７６】
具体的には、複数の透明シート９には、それぞれ、複数のページ番号が印刷され、当該複数のページ番号の中から設定するページ番号を選択するための複数のページ選択エリア９ｂが設けられている。ページ選択エリア９ｂは、透明シート９においてドットパターンが形成された領域の一部の領域に対応し、透明シート９における所定の領域に印刷された複数の枠（赤外域に吸収性を持たないインキによって印刷されている）によって、ユーザに認識される。また、このような複数の枠のそれぞれの中に、赤外域に吸収性を持たないインキによって、「１」、「２」、「３」、…といったページ番号が印刷されている。
【０１７７】
第３実施形態では、各透明シート９をプレゼンアプリの内容が印刷された資料６のページに対応付けるべく、このようなページ選択エリア９ｂを利用して、複数の透明シート９に対してページ番号が設定される。具体的には、ユーザは、１つの透明シート９について、複数のページ選択エリア９ｂの中から、当該透明シート９に対して設定するページ番号が印刷された１つのページ選択エリア９ｂを選択し、選択したページ選択エリア９ｂに対して電子ペン１でタップする。ユーザは、こうした作業を、ページ番号の設定を行う複数の透明シート９に対して行う。そして、コンピュータ装置２は、ユーザが当該作業を行っている際に電子ペン１から受信する記入情報に基づいてページ番号設定処理を行うことで、複数の透明シート９のそれぞれに対してページ番号を割り振る。このページ番号設定処理については、詳細は後述する。なお、ページ番号設定処理後にユーザが行う手順やコンピュータ装置２が行う処理などは、第１実施形態と同様である。
【０１７８】
［座標定義情報］
次に、図２３を参照して、第３実施形態に係る透明シート９に関する座標定義情報のデータ構造及びページ番号との対応表のデータ構造について説明する。図２３（ａ）は、透明シート９の座標定義情報のデータ構造を示している。なお、図２３（ａ）に示す座標定義情報は、コンピュータ装置２の記憶手段２５が記憶しているものとする。ここでは、各透明シート９に３つのページ選択エリア９ｂが設けられている場合について例示する。つまり、１ページ目を選択するためのページ選択エリア９ｂ（以下、適宜「ページ１選択エリア」と表記する。）と、２ページ目を選択するためのページ選択エリア９ｂ（以下、適宜「ページ２選択エリア」と表記する。）と、３ページ目を選択するためのページ選択エリア９ｂ（以下、適宜「ページ３選択エリア」と表記する。）とが、各透明シート９に設けられている場合について例示する。
【０１７９】
図２３（ａ）に示すように、透明シート９の座標定義情報においては、透明シート９の識別情報と、透明シート９に形成されたドットパターンの座標範囲と、ページ１選択エリアに形成されたドットパターンの座標範囲と、ページ２選択エリアに形成されたドットパターンの座標範囲と、ページ３選択エリアに形成されたドットパターンの座標範囲とが対応付けられている。ページ１選択エリア、ページ２選択エリア及びページ３選択エリアに形成されたドットパターンは、透明シート９に形成されたドットパターンの一部の領域のものである。
【０１８０】
図２３（ｂ）及び図２３（ｃ）は、ページ番号と透明シート９との対応表を示している。具体的には、ページ番号に対して、透明シート９の識別情報及び座標範囲を対応付けた対応表を示している。なお、このような対応表に関する情報は、コンピュータ装置２の記憶手段２５が記憶しているものとする。図２３（ｂ）は、透明シート９に対してページ番号が設定される前の対応表を示しており、ページ番号に対応する透明シート９の識別情報及び座標範囲の情報がブランクとなっている。図２３（ｃ）は、透明シート９に対してページ番号が設定された後の対応表を示している。図２３（ｃ）に示すように、透明シート９にページ番号が設定された後は、ページ番号に対応して、透明シート９の識別情報及び座標範囲が対応付けられている。ここでは、ページ番号「ｐ．１」に対して識別情報が「Ａ」である透明シート９が対応付けられ、ページ番号「ｐ．２」に対して識別情報が「Ｂ」である透明シート９が対応付けられ、ページ番号「ｐ．３」に対して識別情報が「Ｃ」である透明シート９が対応付けられた例を示している。
【０１８１】
なお、図２３（ｂ）及び図２３（ｃ）では、ページ番号に対して、透明シート９の識別情報及び座標範囲を対応付けた対応表を示したが、ページ番号に対して透明シート９の識別情報又は座標範囲のみを対応付けた対応表を用いても良い。
【０１８２】
［ページ番号設定方法］
次に、第３実施形態におけるページ番号設定方法の概要を、図２４を参照して説明する。図２４では、透明シート９を左側から順番に「透明シートＡ」、「透明シートＢ」、「透明シートＣ」と表記している。透明シートＡの識別情報は「Ａ」であり、透明シートＢの識別情報は「Ｂ」であり、透明シートＣの識別情報は「Ｃ」であるものとする。ここでは、ユーザが、透明シートＡについてはページ１選択エリアを電子ペン１でタップし、透明シートＢについてはページ２選択エリアを電子ペン１でタップし、透明シートＣについてはページ３選択エリアを電子ペン１でタップしたものとする。
【０１８３】
コンピュータ装置２の処理手段２４は、ユーザが行った電子ペン１によるページ選択エリア９ｂへのタップに対応する記入情報に基づいて、透明シートＡ〜Ｃに対してページ番号を割り当てる処理を行う。言い換えると、処理手段２４は、ページ番号を透明シートＡ〜Ｃに対して対応付ける処理を行う。具体的には、処理手段２４は、図２３（ａ）に示したような記憶手段２５に記憶された座標定義情報を参照して、電子ペン１から受信した記入情報に基づいて、電子ペン１がタップしたいずれのページ選択エリア９ｂであるかを認識し、対応する透明シート９の識別情報を特定する。そして、処理手段２４は、特定した透明シート９に対して、特定したページ選択エリア９ｂに対応するページ番号を割り当てる。これにより、図２４に示す例では、透明シートＡに対してページ番号１が割り当てられ、透明シートＢに対してページ番号２が割り当てられ、透明シートＣに対してページ番号３が割り当てられる。また、処理手段２４は、このようにページ番号を割り当てた際に、割り当てたページ番号を、透明シートＡ、Ｂ、Ｃの識別情報や座標範囲に関連付けて記憶手段２５に記憶させる（図２３（ｃ）参照）。なお、基本的には、上記のような電子ペン１によるページ選択エリア９ｂへの記入は、ページ番号設定のためになされたものとして扱われ、当該記入に対応する手書きストロークは表示されない。
【０１８４】
なお、図２４では、ユーザが、透明シートＡのページ１選択エリアを電子ペン１でタップし、透明シートＢのページ２選択エリアを電子ペン１でタップし、透明シートＣのページ３選択エリアを電子ペン１でタップする例を示したが、このような手順でタップを行うことに限定されないことは言うまでもない。例えば、透明シートＡのページ３選択エリアを電子ペン１でタップし、透明シートＢのページ１選択エリアを電子ペン１でタップし、透明シートＣのページ２選択エリアを電子ペン１でタップしても良い。また、図２４では、説明の便宜上、３枚の透明シート９を図示しているのであって、２枚以下又は４枚以上の透明シート９を用いても良い。更に、図２４では、３つのページ選択エリア９ｂが設けられた透明シート９を示したが、透明シート９に設けるページ選択エリア９ｂは２つ以下又は４つ以上であっても良い。
【０１８５】
なお、ページ選択エリア９ｂは、透明シート９が資料６の上に重ねられた状態において、資料６に記載された内容（プレゼンアプリの内容）と重なり合わないような端の領域に設けられることが好ましい。例えば、ページ選択エリア９ｂは、複数の透明シート９が穴９ａを用いて綴じられた状態で、複数の透明シート９をめくる際に手前にくる端の領域に設けられる。こうすることで、ユーザは、複数の透明シート９が綴じられた状態において、透明シート９をめくりながら、ページ番号設定のための電子ペン１によるタップを容易に行うことが可能となる。他の好ましい例としては、ページ設定エリア９ｂは、２つの穴９ａの間の位置、換言すると資料６に形成された２つの穴６ａの間に相当する位置に設けられる。通常、印刷物は、穴を形成する側に余白をつけて印刷されるため、２つの穴９ａ（６ａに相当）の間の位置であれば、資料６に記載された内容と重ならないようにすることが容易である。
【０１８６】
［処理フロー］
次に、図２５を参照して、第３実施形態の情報処理システムによる処理フローについて説明する。図２５に示す処理フローは、電子ペン１により記入情報が生成されるごとに繰り返し実行される。また、当該処理フローは、例えばプレゼンアプリの実行時に行われる。なお、以下では、図８に示した処理フローと同様の処理については、その説明を適宜省略するものとする。
【０１８７】
ステップＳ１０１、Ｓ７０１〜Ｓ７０２の処理は、それぞれ、図８に示したステップＳ１０１、Ｓ２０１〜Ｓ２０２の処理と同様であるため、その説明を省略する。ステップＳ７０３では、コンピュータ装置２の処理手段２４は、ステップＳ７０２で認識した、電子ペン１により記入されたエリアがページ選択エリア９ｂであるか否かを判定する。
【０１８８】
電子ペン１により記入されたエリアがページ選択エリア９ｂであると判定した場合（ステップＳ７０３；Ｙｅｓ）、処理手段２４は、ページ番号設定処理を行う（ステップＳ７０４）。このページ番号設定処理の詳細については後述する。一方、電子ペン１により記入されたエリアがページ選択エリア９ｂでないと判定した場合（ステップＳ７０３；Ｎｏ）、処理はステップＳ７０５に進む。ステップＳ７０５〜Ｓ７１０の処理は、それぞれ、図８に示したステップＳ２０５〜Ｓ２１０の処理と同様であるため、その説明を省略する。
【０１８９】
次に、図２６を参照して、上記したステップＳ７０４で行われるページ番号設定処理について説明する。図２６は、処理手段２４が行うページ番号設定処理を示すフローである。まず、処理手段２４は、電子ペン１がページ選択エリア９ｂをタップすることで選択されたページ番号が、既にページ番号設定されたページ番号と重複しているか否かを判定する（ステップＳ７０４ａ１）。この場合、処理手段２４は、図２３（ｃ）に示したような記憶手段２５に記憶された対応表を参照することで、ステップＳ２０２で特定したページ番号に対して、既に透明シート９の識別情報やその座標範囲が対応付けられているか否かを判定する。
【０１９０】
選択されたページ番号が重複していないと判定した場合（ステップＳ７０４ａ１；Ｎｏ）、処理手段２４は、当該選択されたページ番号に対して、透明シート９の識別情報や座標範囲を対応付けて記憶手段２５に記憶させる（ステップＳ７０４ａ３）。つまり、処理手段２４は、当該選択されたページ番号を、電子ペン１によりタップされたページ選択エリア９ｂを有する透明シート９に対して付与する。
【０１９１】
一方で、選択されたページ番号が重複していると判定した場合（ステップＳ７０４ａ１；Ｙｅｓ）、処理手段２４は、当該選択されたページ番号に対して、当該特定された透明シート９の識別情報や座標範囲を対応付けて記憶させずに、電子ペン１によりタップすることで選択されたページ番号が重複している旨を報知させる（ステップＳ７０４ａ２）。例えば、処理手段２４は、選択されたページ番号が重複していることを示すメッセージを、画像として表示手段２６に表示させたり、音声としてスピーカから出力させたりする。若しくは、処理手段２４は、アラーム音を出力させたりする。なお、上記のようなステップＳ７０４ａ２の処理を行わなくても良い。
【０１９２】
図２６に示す処理フローによれば、ユーザが、異なる透明シート９で既に設定済みのページ番号に対応するページ選択エリア９ｂに電子ペン１でタップした場合に、設定されるページ番号が上書きされてしまうことを適切に抑制することができる。
【０１９３】
次に、図２７を参照して、図２６に示したページ番号設定処理の他の例を説明する。図２７は、他の例に係るページ番号設定処理を示すフローである。当該ページ番号設定処理も、上記したステップＳ７０４で行われる。なお、当該ページ番号設定処理は、ユーザがページ番号を若い順（ページ番号１→ページ番号２→ページ番号３→…）に選択することを前提としている。
【０１９４】
まず、処理手段２４は、電子ペン１によるページ選択エリア９ｂへのタップ回数のカウンタ（タップ回数カウンタ）をインクリメントする（ステップＳ７０４ｂ１）。次に、処理手段２４は、電子ペン１がページ選択エリア９ｂをタップすることで選択されたページ番号が、ステップＳ７０４ｂ１でインクリメントしたタップ回数カウンタの値に一致するか否かを判定する（ステップＳ７０４ｂ２）。この場合、処理手段２４は、図２３（ａ）に示したような記憶手段２５に記憶された座標定義情報を参照して、ユーザが電子ペン１でタップしたページ選択エリア９ｂに対応するページ番号を特定して、当該判定を行う。
【０１９５】
選択されたページ番号がタップ回数カウンタの値に一致すると判定した場合（ステップＳ７０４ｂ２；Ｙｅｓ）、処理手段２４は、当該選択されたページ番号に対して、透明シート９の識別情報や座標範囲を対応付けて記憶手段２５に記憶させる（ステップＳ７０４ｂ４）。つまり、処理手段２４は、当該選択されたページ番号を、電子ペン１によりタップされたページ選択エリア９ｂを有する透明シート９に対して付与する。
【０１９６】
一方、選択されたページ番号がタップ回数カウンタの値に一致しないと判定した場合（ステップＳ７０４ｂ２；Ｎｏ）、処理手段２４は、当該選択されたページ番号に対して、透明シート９の識別情報や座標範囲を対応付けて記憶させない。つまり、処理手段２４は、当該選択されたページ番号を、電子ペン１によりタップされたページ選択エリア９ｂを有する透明シート９に対して付与しない。この場合、処理手段２４は、例えばページ番号の選択が誤っている旨を報知させる（ステップＳ７０４ｂ３）。例えば、処理手段２４は、ページ番号の選択が誤っていることを示すメッセージを、画像として表示手段２６に表示させたり、音声としてスピーカから出力させたりする。若しくは、処理手段２４は、アラーム音を出力させたりする。なお、上記のようなステップＳ７０４ｂ３の処理を行わなくても良い。
【０１９７】
図２７に示す処理フローによれば、図２６に示す処理フローと同様に、設定されるページ番号が上書きされてしまうことを適切に抑制することができる。また、図２７に示す処理フローによれば、ユーザに対して、ページ番号を若い順に適切に選択させることができる。
【０１９８】
なお、処理手段２４は、プレゼンアプリの起動時及び／又は終了時に、設定しているページ番号をリセットすることができる。また、他の例では、処理手段２４は、プレゼンアプリの起動時及び／又は終了時に、設定しているページ番号をリセットするか否かの判断をユーザに求めることができる。更に他の例では、設定しているページ番号をリセットするためのメニューをプレゼンアプリに設けておくことができる。
【０１９９】
［第３実施形態による作用効果］
以上説明した第３実施形態によれば、ページ番号が印刷されたページ選択エリア９ｂが設けられた透明シート９を用いることで、ユーザは、透明シート９に対して設定するページ番号を視認しながら、ページ番号設定の作業を行うことができる。よって、ユーザは、容易かつ的確に、ページ番号設定の作業を行うことができる。
【０２００】
＜変形例＞
以下では、上記した実施形態の変形例について説明する。当該変形例は、第１実施形態、第２実施形態（変形例１〜３も含む）、及び第３実施形態の全てに適用可能である。
【０２０１】
［変形例１］
変形例１では、上記したような透明シート７、８、９の表面を、透明ニスでコーティングする。図２８は、変形例１を説明するための図を示す。図２８（ａ）〜（ｃ）は、表面が透明ニスでコーティングされた状態にある透明シート７、８、９の断面構造を示す。図２８（ａ）〜（ｃ）では、符号５１は、例えばポリプロピレンシートなどの基材フィルムを示し、符号５２は、ドットを示し、符号５３は、透明ニス層を示している。図２８（ａ）に示す例では、電子ペン１による筆記側の基材フィルム５１上にドットパターン（ドット５２）が形成されていると共に、基材フィルム５１及びドット５２の上に透明ニス層５３が形成されている。図２８（ｂ）に示す例では、電子ペン１による筆記がなされない基材フィルム５１上にドットパターン（ドット５２）が形成されていると共に、電子ペン１による筆記側（ドットパターンが形成された側と逆側）の基材フィルム５１上に透明ニス層５３が形成されている。図２８（ｃ）に示す例では、ドットパターン（ドット５２）が基材フィルム５１で挟み込まれるように形成されていると共に、電子ペン１による筆記側の基材フィルム５１上に透明ニス層５３が形成されている。
【０２０２】
上記のように透明ニスでコーティングされた透明シート７、８、９は、例えば電子ペン１がインクユニットを有している場合に好適に適用することができる。この場合、ユーザが手書きストロークを記入すると、表面の透明ニス層５３にインクが付着する。つまり、透明ニス層５３はインクをはじくことなく、インクをある程度吸収する。そのため、変形例１によれば、透明シート７、８、９の表面に、適切に文字や図形などを記入することができる。
【０２０３】
また、このように透明ニス層５３に付着したインクは、透明ニスの特性により、消しゴムなどで適切に除去することができる。そのため、変形例１によれば、インクユニットを有する電子ペン１によって手書きストロークが記入されたとしても、記入されたインクを消しゴムなどで除去することにより、透明シート７、８、９を複数回利用することが可能となる。なお、上記のような透明ニス層５３を透明シート７、８、９に形成しない場合にも、図２８（ｂ）又は図２８（ｃ）に示したような構成を透明シート７、８、９に適用した場合には、電子ペン１のペン先でドット５２が擦られることがないため、ドットパターンの耐久性を向上させることができる。
【０２０４】
なお、変形例１は、後述する変形例２乃至５にも適用することができる。
【０２０５】
［変形例２］
変形例２では、上記したような透明シート７、８、９を、資料６を差し入れて保持可能に構成する。図２９は、変形例２に係る透明シート６０の具体例を示す図である。図２９に示すように、透明シート６０は、資料６を挟むことが可能に構成されていると共に、挟んだ資料６に記載された内容が透けて視認されるように透明に構成されている。言い換えると、透明シート６０は、所謂クリアファイルに相当する。例えば、透明シート６０は、透明なポリプロピレンシートで構成されている。また、透明シート６０には、片面又は両面に、ユニークなドットパターンが形成されている。
【０２０６】
また、図２９に示すように、透明シート６０には、穴６０ａが形成されている。具体的には、穴６０ａは、透明シート６０の開放されている側の端に形成される。この場合、複数の透明シート６０の各々に対応する資料６を挟んで、このような対応する資料６を挟んだ状態にある透明シート６０の組を複数組で一まとまりにして、透明シート６０及び資料６に形成された穴を用いてリング１０等で綴じることができる。
【０２０７】
なお、変形例２を上記した実施形態に適用する場合には、資料６には穴が形成されていなくてもよい。これは、透明シート６０の開放されている側に穴６０ａが形成されているので、資料６を挟んで複数セットを綴じた状態において、資料６が透明シート６０から脱落しにくいからである。
【０２０８】
［変形例３］
変形例３では、上記したような透明シート７、８、９を、トレーシングペーパーで構成する。また、変形例３では、このようなトレーシングペーパー上に方眼メッシュを形成する。
【０２０９】
図３０は、変形例３に係るシート７０の一例を示す図である。シート７０は、トレーシングペーパーで構成されていると共に、トレーシングペーパー上に方眼メッシュ７０ｂが形成されている。方眼メッシュ７０ｂは、赤外域に吸収性を持たないインキによって印刷されている。また、シート７０は、資料６を挟むことが可能に構成されている。シート７０はトレーシングペーパーで構成されているため、シート７０に資料６を挟んだ状態では、挟み込まれた資料６に記載された内容が透けて視認されることとなる。また、シート７０には、片面又は両面に、ユニークなドットパターンが形成されている。
【０２１０】
また、図３０に示すように、シート７０には、穴７０ａが形成されている。具体的には、穴７０ａは、シート７０の開放されている側の端に形成される。この場合、複数のシート７０の各々に対応する資料６を挟んで、このような対応する資料６を挟んだ状態にあるシート７０の組を複数組で一まとまりにして、シート７０及び資料６に形成された穴を用いてリング１０等で綴じることができる。
【０２１１】
なお、変形例３を上記した実施形態に適用する場合には、資料６には穴が形成されていなくてもよい。これは、シート７０の開放されている側に穴７０ａが形成されているので、資料６を挟んで複数セットを綴じた状態において、資料６がシート７０から脱落しにくいからである。また、方眼メッシュ７０ｂが形成されるシート７０は、トレーシングペーパーに限られず、透明シートやクリアファイルなどであってもよい。
【０２１２】
以上説明した変形例３によれば、ユーザは、電子ペン１による手書きストロークを記入する際に、トレーシングペーパー上に形成された方眼メッシュを利用することで、文字を揃えて記入したり図形や数式などを容易にきれいに記入したりすることが可能となる。なお、変形例３は、後述する変形例４及び５にも適用することができる。
【０２１３】
［変形例４］
図３１は、変形例４に係る透明シート８０を示している。図３１に示すように、変形例４に係る透明シート８０は、下に重ねられた資料６に記載された内容が透けて視認されるように構成されていると共に、資料６を差し入れて保持することができる切込み８０ａが２箇所に形成されている。具体的には、２つの切込み８０ａは、資料６の対角線上に位置する２つの隅（対角）をそれぞれ差し入れて保持するのに適した、透明シート８０上の位置に形成されている。例えば、透明シート８０は、透明なポリプロピレンシートで構成されている。また、透明シート８０には、ユニークなドットパターンが形成されている。変形例４に係る透明シート８０は、裏側に資料６が位置するように、つまり透明シート８０の面が資料６の面より前側に位置するように、切込み８０ａに資料６の対角がそれぞれ差し込まれる。なお、切込み８０ａは、本発明におけるシートを「用紙を差し入れて保持可能」にするための構成の一例である。
【０２１４】
このような変形例４を上記したような実施形態に適用する場合には、透明シート８０に透明シート７、８、９と同様の穴を形成し、対応する資料６が切込み８０ａによって差し込まれた状態にある透明シート８０の複数のセットを複数組で一まとまりにして、透明シート８０及び資料６に形成された穴を用いてリング１０等で綴じることで実現することができる。なお、変形例４を適用する場合には、資料６に穴を形成しなくても良い。
【０２１５】
［変形例５］
図３２は、変形例５に係る透明シート９０を示している。図３２（ａ）に示すように、変形例５に係る透明シート９０は、下に重ねられた資料６に記載された内容が透けて視認されるように構成されていると共に、資料６を差し込むことができる三角形状の透明パッチシール９０ａが２箇所に設けられている。具体的には、２つの透明パッチシール９０ａは、資料６の対角線上に位置する２つの隅（対角）をそれぞれ差し入れて保持するのに適した、透明シート９０上の位置に貼り付けられている。この場合、２つの透明パッチシール９０ａは、透明シート９０の裏側に貼り付けられている。例えば、透明シート９０は、透明なポリプロピレンシートで構成されている。また、透明シート９０には、ユニークなドットパターンが形成されている。なお、透明パッチシール９０ａは、本発明におけるシートを「用紙を差し入れて保持可能」にするための構成の一例である。
【０２１６】
図３２（ｂ）は、透明パッチシール９０ａの一例（以下、「透明パッチシール９０ａ１」と表記する。）を示している。透明パッチシール９０ａ１は、１枚構造で構成されており、符号９０ａ１ａで示す２辺に粘着剤又は接着剤が形成され、この部分で透明シート９０に貼り付けられる。図３２（ｃ）は、透明パッチシール９０ａの他の例（以下、「透明パッチシール９０ａ２」と表記する。）を示している。透明パッチシール９０ａ２は、２辺が閉じられることで袋状に構成されており、外側の片面の略全体に粘着剤又は接着剤が形成され、この部分で透明シート９０に貼り付けられる。なお、以下では、透明パッチシール９０ａ１、９０ａ２の区別をしない場合には単に「透明パッチシール９０ａ」と表記する。
【０２１７】
このような変形例５を上記したような実施形態に適用する場合する場合には、透明シート９０に透明シート７、８、９と同様の穴を形成し、対応する資料６が透明パッチシール９０ａによって差し込まれた状態にある透明シート９０の複数のセットを複数組で一まとまりにして、透明シート９０及び資料６に形成された穴を用いてリング１０等で綴じることで実現することができる。なお、変形例５を適用する場合には、資料６に穴を形成しなくても良い。
【符号の説明】
【０２１８】
１…電子ペン
２…コンピュータ装置
２４…処理手段
２５…記憶手段
３…プリンタ
４…プロジェクタ
５…スクリーン
６…資料
７、８、９、６０、８０、９０…透明シート
７ｂ…ページ設定エリア
９ｂ…ページ選択エリア
１０…リング（留め具）
１２、１３…ページ設定シート
１２ａ…開始エリア
１２ｂ…終了エリア
１３ａ…開始／終了エリア
１４…リセットシート
１４ａ…リセットエリア
３０、３１、３２…シートセット
７０…シート
７０ｂ…方眼メッシュ
【図２】
0005652208.tif 000002
【図３】
0005652208.tif 000003
【図４】
0005652208.tif 000004
【図５】
0005652208.tif 000005
【図６】
0005652208.tif 000006
【図７】
0005652208.tif 000007
【図８】
0005652208.tif 000008
【図９】
0005652208.tif 000009
【図１０】
0005652208.tif 000010
【図１２】
0005652208.tif 000011
【図１３】
0005652208.tif 000012
【図１４】
0005652208.tif 000013
【図１５】
0005652208.tif 000014
【図１６】
0005652208.tif 000015
【図１７】
0005652208.tif 000016
【図１８】
0005652208.tif 000017
【図１９】
0005652208.tif 000018
【図２０】
0005652208.tif 000019
【図２１】
0005652208.tif 000020
【図２３】
0005652208.tif 000021
【図２４】
0005652208.tif 000022
【図２５】
0005652208.tif 000023
【図２６】
0005652208.tif 000024
【図２７】
0005652208.tif 000025
【図２８】
0005652208.tif 000026
【図２９】
0005652208.tif 000027
【図３０】
0005652208.tif 000028
【図３１】
0005652208.tif 000029
【図３２】
0005652208.tif 000030
【図１】
0005652208.tif 000031
【図１１】
0005652208.tif 000032
【図２２】
0005652208.tif 000033